(57)【特許請求の範囲】
【請求項１】
周波数ホッピングを利用してシングルキャリア周波数分割多元接続（ＳＣ−ＦＤＭＡ）伝送を通じてデータを受信するための方法であって、
第１のスロット及び第２のスロットを備える少なくとも２つのタイムベーススロットと、第１の周波数細分及び第２の周波数細分を備える複数の周波数細分と、を含む伝送アロケーションユニットを決定することと、ここにおいて、前記第２のスロットの前記第２の周波数細分は、前記第１のスロットの前記第１の周波数細分に基づいて、さらにミラー転置周波数ホッピングに従って、決定され、前記第２の周波数細分は、前記第１の周波数細分に伝送帯域幅の中心線周波数を越えてミラー転置されるものであって、前記第１の周波数細分が中心線周波数の実質的に下方又は上方にある時、前記第２の周波数細分は前記中心線周波数の夫々上方又は下方の実質的に等しい距離にあり、
前記第１のスロットの前記第１の周波数細分及び前記第２のスロットの前記第２の周波数細分において送信されるデータを受信することと、
を具備する方法。
【請求項２】
前記伝送アロケーションユニットに関連する情報を送信することをさらに具備する請求項１の方法。
【請求項３】
第３のスロットの第３の周波数細分及び第４のスロットの第４の周波数細分において送信されるさらなるデータを受信することをさらに具備し、前記第４の周波数細分は、周期的シフト周波数ホッピングに従って決定される、請求項１の方法。
【請求項４】
前記第４の周波数細分は、前記伝送帯域幅の略半分だけ前記第３の周波数細分から周波数シフトされたものである、請求項３の方法。
【請求項５】
端末装置が前記伝送アロケーションユニット内のアップリンク伝送のための周波数シフトされてない周波数細分と周波数シフトされた周波数細分のどちらを使用するかを示す情報を送信することをさらに具備する請求項１の方法。
【請求項６】
周波数ホッピングを利用してシングルキャリア周波数分割多元接続（ＳＣ−ＦＤＭＡ）伝送を通じてデータを受信する装置であって、
第１のスロット及び第２のスロットを備える少なくとも２つのタイムベーススロットと、第１の周波数細分及び第２の周波数細分を備える複数の周波数細分と、を含む伝送アロケーションユニットを決定する手段と、ここにおいて、前記第２のスロットの前記第２の周波数細分は、前記第１のスロットの前記第１の周波数細分に基づいて、さらにミラー転置周波数ホッピングに従って、決定され、前記第２の周波数細分は、前記第１の周波数細分に伝送帯域幅の中心線周波数を越えてミラー転置されるものであって、前記第１の周波数細分が中心線周波数の実質的に下方又は上方にある時、前記第２の周波数細分は前記中心線周波数の夫々上方又は下方の実質的に等しい距離にあり、
前記第１のスロットの前記第１の周波数細分及び前記第２のスロットの前記第２の周波数細分において送信されるデータを受信する手段と、
を具備する装置。
【請求項７】
前記伝送アロケーションユニットに関連する情報を送信する手段をさらに具備する請求項６の装置。
【請求項８】
第３のスロットの第３の周波数細分及び第４のスロットの第４の周波数細分において送信されるさらなるデータを受信することをさらに具備し、前記第４の周波数細分は、周期的シフト周波数ホッピングに従って決定される、請求項６の装置。
【請求項９】
前前記第４の周波数細分は、前記伝送帯域幅の略半分だけ前記第３の周波数細分から周波数シフトされたものである、請求項８の装置。
【請求項１０】
端末装置が前記伝送アロケーションユニット内のアップリンク伝送のための周波数シフトされてない周波数細分と周波数シフトされた周波数細分のどちらを使用するか示す情報を送信する手段をさらに具備する請求項６の装置。
【請求項１１】
周波数ホッピングを利用してシングルキャリア周波数分割多元接続（ＳＣ−ＦＤＭＡ）伝送を通じてデータを受信する装置であって、
第１のスロット及び第２のスロットを備える少なくとも２つのタイムベーススロットと、第１の周波数細分及び第２の周波数細分を備える複数の周波数細分と、を含む伝送アロケーションユニットを決定し、前記第１のスロットの前記第１の周波数細分及び前記第２のスロットの前記第２の周波数細分において送信されるデータを受信するように構成される少なくとも１つのプロセッサを具備し、前記第２のスロットの前記第２の周波数細分は、前記第１のスロットの前記第１の周波数細分に基づいて、さらにミラー転置周波数ホッピングに従って、決定され、前記第２の周波数細分は、前記第１の周波数細分に伝送帯域幅の中心線周波数を越えてミラー転置されるものであり、前記第１の周波数細分が中心線周波数の実質的に下方又は上方にある時、前記第２の周波数細分は前記中心線周波数の夫々上方又は下方の実質的に等しい距離にある、装置。
【請求項１２】
前記少なくとも１つのプロセッサは前記伝送アロケーションユニットに関連する情報を送信するようにさらに構成される請求項１１の装置。
【請求項１３】
前記少なくとも１つのプロセッサは第３のスロットの第３の周波数細分及び第４のスロットの第４の周波数細分において送信されるさらなるデータを受信するようにさらに構成され、前記第４の周波数細分は、周期的シフト周波数ホッピングに従って決定される、請求項１１の装置。
【請求項１４】
前記第４の周波数細分は、前記伝送帯域幅の略半分だけ前記第３の周波数細分から周波数シフトされたものである、請求項１３の装置。
【請求項１５】
前記少なくとも１つのプロセッサは、端末装置が前記伝送アロケーションユニット内のアップリンク伝送のための周波数シフトされてない周波数細分と周波数シフトされた周波数細分のどちらを使用するかを示す情報を送信するようにさらに構成される請求項１１の装置。
【請求項１６】
周波数ホッピングを利用してシングルキャリア周波数分割多元接続（ＳＣ−ＦＤＭＡ）伝送を通じてデータを受信するプロセッサであって、
第１のスロット及び第２のスロットを備える少なくとも２つのタイムベーススロットと、第１の周波数細分及び第２の周波数細分を備える複数の周波数細分と、を含む伝送アロケーションユニットを決定する手段と、ここにおいて、前記第２のスロットの前記第２の周波数細分は、前記第１のスロットの前記第１の周波数細分に基づいて、さらにミラー転置周波数ホッピングに従って、決定され、前記第２の周波数細分は、前記第１の周波数細分に伝送帯域幅の中心線周波数を越えてミラー転置されるものであり、前記第１の周波数細分が中心線周波数の実質的に下方又は上方にある時、前記第２の周波数細分は前記中心線周波数の夫々上方又は下方の実質的に等しい距離にあり、
前記第１のスロットの前記第１の周波数細分及び前記第２のスロットの前記第２の周波数細分において送信されるデータを受信する手段と、
を具備するプロセッサ。
【請求項１７】
周波数ホッピングを利用するシングルキャリア周波数分割多元接続（ＳＣ−ＦＤＭＡ）アップリンクチャネル伝送を通じたデータの受信を提供することを容易にするコンピュータ読み出し可能記録媒体であって、
第１のスロット及び第２のスロットを備える少なくとも２つのタイムベーススロットと、第１の周波数細分及び第２の周波数細分を備える複数の周波数細分と、を含む伝送アロケーションユニットを決定し、前記第１のスロットの前記第１の周波数細分及び前記第２のスロットの前記第２の周波数細分において送信されるデータを受信する少なくとも１つのコンピュータで実行可能なコードを具備し、ここにおいて、前記第２のスロットの前記第２の周波数細分は、前記第１のスロットの前記第１の周波数細分に基づいて、さらにミラー転置周波数ホッピングに従って、決定され、前記第２の周波数細分は、前記第１の周波数細分に伝送帯域幅の中心線周波数を越えてミラー転置されるものであり、前記第１の周波数細分が中心線周波数の実質的に下方又は上方にある時、前記第２の周波数細分は前記中心線周波数の夫々上方又は下方の実質的に等しい距離にある、コンピュータ読み出し可能記録媒体。
【発明の詳細な説明】
【優先権の主張】
【０００１】
本特許出願は、２００６年７月１０日に出願された仮特許出願第６０／８１９，９１６号「ＳＣ−ＦＤＭＡに対する周波数ホッピングのための方法及び装置（A METHOD AND APPARATUS FOR FREQUENCY HOPPING FOR SC-FDMA）」の優先権を主張する。同仮出願の全ては、参照されて本願に組み込まれる。
【技術分野】
【０００２】
本発明は、一般に無線通信に関し、特にシングルキャリア周波数分割多元接続伝送における周波数ホッピングを提供することに関する。
【背景技術】
【０００３】
無線通信システムは、例えば、音声及びデータ等の種々の通信コンテンツを提供するように幅広く展開されている。代表的な無線通信システムは、利用可能なシステムリソース（例えば、帯域幅、送信電力）を共有することにより多数のユーザとの相互通信に対応可能な多元接続システムになりうる。この多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等が含まれる。
【０００４】
一般に、無線多元接続通信システムは、複数の携帯機器に対する通信を同時にサポートすることができる。各携帯機器は、順方向及び逆方向リンクによる伝送を介して１以上の基地局と通信することができる。順方向リンク（即ち、ダウンリンク）は、基地局から携帯機器への通信リンクのことを指し、逆方向リンク（即ち、アップリンク）は、携帯機器から基地局への通信リンクのことを指す。さらに、携帯機器及び基地局間の通信は、単一入力単一出力（ＳＩＳＯ）システム、複数入力単一出力（ＭＩＳＯ）システム、複数入力複数出力（ＭＩＭＯ）システム等によって確立されることができる。
【０００５】
ＭＩＭＯシステムは、データ伝送で用いる複数（ＮＴ）の送信アンテナ及び複数（ＮＲ）の受信アンテナを一般に使用する。ＮＴの送信アンテナ及びＮＲの受信アンテナにより形成されるＭＩＭＯチャネルは、空間チャネルと称されるＮＳの独立なチャネルに分割されることができる。ここで、ＮＳ≦｛ＮＴ，ＮＲ｝。ＮＳの独立なチャネルの各々は、１次元に相当する。さらに、複数の送信及び受信アンテナにより作られる追加の次元が利用される場合、ＭＩＭＯシステムは、向上されたパフォーマンス（例えば、さらに高いスペクトル効率、さらに高いスループット及び／又はより大きな信頼性）を提供することができる。
【０００６】
ＭＩＭＯシステムは、共通の物理メディア上での順方向及び逆方向リンク通信を分割する種々のデュプレックス技術をサポートすることができる。例えば、周波数分割複信（ＦＤＤ）システムは、順方向及び逆方向リンク通信に対して相違する周波数領域を使用することができる。さらに、時分割複信（ＴＤＤ）システムでは、順方向及び逆方向リンク通信は、共通の周波数領域を使用することができる。しかしながら、従来の技術は、チャネル情報に関する制限されたフィードバックを提供することができる、或いはチャネル情報に関するフィードバックを全く提供することができない。
【発明の概要】
【０００７】
以下の記述は、実施形態の基本的な理解を提供するために１以上の実施形態の概要を示す。この概要は、意図された全実施形態の概観でなく、また、全実施形態の主要な要素又は決定的に重要な意味を持つ要素を特定するものでも、いずれか又は全ての実施形態の範囲を線引きするものでもないように意図される。その唯一の目的は、後に示されるより詳細な説明の前置きとして単純化された形式で１以上の実施形態のいくつかの概念を提示することである。
【０００８】
１以上の実施形態及びそれに対応する開示に従って、種々の態様は、シングルキャリア周波数分割多元接続（ＳＣ−ＦＤＭＡ）伝送に対して周波数ホッピングを容易にすることに関連して記述されている。伝送アロケーションユニット（transmission allocation unit）中で伝送されるユーザデータは、このアロケーションユニットのタイムベーススロット（time based slots）に関して周波数シフトされることができる。結果として、周波数ホッピングは、シングルキャリアの制約、及びＳＣ−ＦＤＭＡに関して一般的に求められる低ピーク電力対平均電力比（ＰＡＰＲ）を保持しながら遂行されることができる。さらに、種々の周波数シフトのメカニズムは、シングルキャリアの制約の保持を遂行するように開示される。より具体的には、スケジューラは、周期的周波数シフトと、転置周波数シフトと、周波数選択スケジュールされたデータ、及び伝送アロケーションユニットに関してスケジュールされたデータの監査に基づいた周波数ホップされたデータの多重化と、から選択することができる。結果として、周波数ホッピングを介してもたらされる干渉の低減は、ＳＣ−ＦＤＭＡ伝送を介して達成される低いＰＡＰＲと結び付けられることができる。
【０００９】
関連した態様によれば、シングルキャリアの制約を保持するシングルキャリア周波数分割多元接続（ＳＣ−ＦＤＭＡ）伝送における周波数ホッピングを提供するための方法は、本明細書に記述される。この方法は、伝送アロケーションユニットを少なくとも２つのタイムベーススロットに分割することを具備し、これらタイムベーススロットは、複数の周波数細分（frequency sub-division）を有する。さらに、この方法は、ユーザデータの一部分を第１のタイムスロットにおける第１の周波数細分に割り当てること、及びユーザデータの連続部分のアロケーションを第２の連続タイムスロットにおける第２の周波数細分にシフトすることを具備することができる。
【００１０】
さらに他の一態様は、ＳＣ−ＦＤＭＡ伝送における周波数ホッピングを提供する装置に関連する。この装置は、伝送アロケーションユニットを少なくとも２つのタイムベーススロットに分割する手段を具備することができ、このタイムベーススロットは、複数の周波数細分を有する。さらに、この装置は、ユーザデータの一部分を第１のタイムスロットにおける第１の周波数細分に割り当てる手段、及びユーザデータの連続部分のアロケーションを第２の連続タイムスロットにおける第２の周波数細分にシフトする手段を具備することができる。
【００１１】
他の一態様は、ＳＣ−ＦＤＭＡ伝送における周波数ホッピングを容易にするシステムに関連する。このシステムは、伝送アロケーションユニットを少なくとも２つの周波数細分に分割する多重化プロセッサを具備することができ、このタイムベーススロットは、複数の周波数細分を有する。さらに、このシステムは、ユーザデータの一部分を第１のタイムスロットにおける第１の周波数細分に割り当てる、且つ、ユーザデータの連続部分を第２の連続タイムスロットにおける周波数シフトされた第２の周波数細分に割り当てるスケジューラを具備することができる。
【００１２】
さらにまた他の一態様は、シングルキャリアの制約を保持するためにＳＣ−ＦＤＭＡ伝送における周波数ホッピングを容易にするプロセスに関連する。このプロセッサは、伝送アロケーションユニットを少なくとも２つのタイムベーススロットに分割する手段を具備することができ、このタイムベーススロットは、複数の周波数細分を有する。さらに、このプロセッサは、ユーザデータの一部分を第１のタイムスロットにおける第１の周波数細分に割り当てる手段、及びユーザデータの連続部分のアロケーションを連続第２のタイムスロットにおける第２の周波数細分にシフトする手段を具備することができる。
【００１３】
さらに他の一態様は、ＳＣ−ＦＤＭＡ伝送における周波数ホッピングを容易にするコンピュータプログラム製品に関連する。このコンピュータプログラム製品は、伝送アロケーションユニットを少なくとも２つのタイムベーススロットに分割し、但しこのタイムベーススロットが複数の周波数細分を有し、ユーザデータの一部分を第１のタイムスロットにおける第１の周波数細分に割り当て、及びユーザデータの連続部分のアロケーションを第２の連続タイムスロットにおける第２の周波数細分にシフトする少なくとも１つのコンピュータで実行可能なコードを具備することができる。
【００１４】
他の一態様は、周波数ホッピングを利用するＳＣ−ＦＤＭＡアップリンクチャネル上でデータを伝送する方法に関連する。この方法は、ＳＣ−ＦＤＭＡアップリンク伝送に用いる伝送アロケーションユニットの複数のタイムスロットにわたるユーザデータの周波数シフトされたアロケーションに関連する情報を受信すること、及び受信した情報に従ってユーザデータを伝送データパケットに組織化することを具備することができる。
【００１５】
さらに他の一態様は、周波数ホッピングを利用するＳＣ−ＦＤＭＡアップリンクチャネル上でデータを伝送する装置に関連する。この装置は、ＳＣ−ＦＤＭＡアップリンク伝送に用いる伝送アロケーションユニットの複数のタイムスロットにわたるユーザデータの周波数シフトされたアロケーションに関連する情報を受信する手段、及び受信した情報に従ってユーザデータを伝送データパケットに組織化する手段を具備することができる。
【００１６】
さらにまた他の一態様は、周波数ホッピングを利用するＳＣ−ＦＤＭＡアップリンクチャネル上でデータを伝送する装置に関連する。このシステムは、ＳＣ−ＦＤＭＡアップリンク伝送に用いる伝送アロケーションユニットの複数のタイムスロットにわたるユーザデータの周波数シフトされたアロケーションに関連する情報を受信するアンテナを具備することができる。さらに、このシステムは、受信した情報に従ってユーザデータを伝送データパケットに組織化するスケジューラを具備することができる。
【００１７】
他の一態様は、周波数ホッピングを利用するＳＣ−ＦＤＭＡアップリンクチャネル上でのデータの伝送を提供するプロセッサに関連する。このプロセッサは、ＳＣ−ＦＤＭＡアップリンク伝送に用いる伝送アロケーションユニットの複数のタイムスロットにわたるユーザデータの周波数シフトされたアロケーションに関連する情報を受信する手段を具備することができる。さらに、このプロセッサは、受信した情報に従ってユーザデータを伝送データパケットに組織化する手段を具備することができる。
【００１８】
さらにまた他の一態様は、周波数ホッピングを利用するＳＣ−ＦＤＭＡアップリンクチャネル上でのデータの伝送を提供するコンピュータプログラム製品に関連する。このコンピュータプログラム製品は、ＳＣ−ＦＤＭＡアップリンク伝送に用いる伝送アロケーションユニットの複数のタイムスロットにわたるユーザデータの周波数シフトされたアロケーションに関連する情報を受信する少なくとも１つのコンピュータによって実行可能なコードを具備することができる。さらに、このコンピュータプログラム製品は、受信した情報に従ってユーザデータを伝送データパケットに組織化する少なくとも１つのコンピュータで実行可能なコードを具備することができる。
【００１９】
前述された且つ関連する目的の達成のために、１以上の実施形態は、以下に充分に記述される特徴、特に特許請求の範囲に示される特徴を備えることができる。以下の説明及び添付されている図面は、１以上の実施形態での特定の実例となる態様を詳細に説明する。しかしながら、種々の実施形態のこれらの態様は、種々の実施形態の原理が採用されることができる種々の方法のうちいくつかのみを示し、記述された実施形態は、このような全ての態様及びそれらの相当物を含むように意図される。
【図面の簡単な説明】
【００２０】
【図１】図１は、本明細書に説明される種々の態様に従った無線通信システムを示している。
【図２】図２は、無線通信環境に採用される通信装置の一例を示す。
【図３】図３は、シングルキャリア周波数分割多元接続（ＳＣ−ＦＤＭＡ）伝送における周波数ホッピングを容易にする手順の一例を示す。
【図４】図４は、ＳＣ−ＦＤＭＡ伝送に対して周期的シフト周波数ホッピングを提供する手順の一例を示す。
【図５】図５は、ＳＣ−ＦＤＭＡ伝送に対してミラー転置周波数ホッピングを提供する手順の一例を示す。
【図６】図６は、１以上の態様に従ってユーザデータのアロケーションに基づくＳＣ−ＦＤＭＡ周波数ホッピングメカニズムの中から選択する手順の実例を示す。
【図７】図７は、ＳＣ−ＦＤＭＡ環境における周波数ホップ及び非周波数ホップ伝送を多重化する手順の典型例を示す。
【図８】図８は、ピーク電力対平均電力比を提供するＳＣ−ＦＤＭＡ信号変換の一例を示す。
【図９】図９は、１以上の態様に従って周期的シフト周波数ホッピングを使用する伝送アロケーションユニットの実例を示す。
【図１０】図１０は、付加的な態様に従ってミラー転置の周波数ホッピングを使用する伝送アロケーションユニットの実例を示す。
【図１１】図１１は、さらにまた他の態様に従って多重化された周波数ホップ及び非周波数ホップユーザデータを使用する伝送アロケーションユニットの一例を示す。
【図１２】図１２は、１以上の態様に従ってアップリンクＳＣ−ＦＤＭＡ伝送における周波数ホッピングを利用可能なアクセス端末の一例を示す。
【図１３】図１３は、本明細書に記述されるような無線ネットワーク環境と併せて使用されることができる基地局の一例を示している。
【図１４】図１４は、本明細書に記述される態様に従ってＳＣ−ＦＤＭＡ環境における周波数ホップ伝送を容易にするシステムの一例を示す。
【図１５】図１５は、１以上のユーザ端末でのアップリンクＳＣ−ＦＤＭＡ伝送に対して周波数ホッピングを容易にするシステムを示す。
【図１６】図１６は、１以上のネットワーク基地局へのアップリンクＳＣ−ＦＤＭＡ伝送に対して周波数ホッピングを利用するシステムを示す。
【発明を実施するための形態】
【００２１】
種々の態様は、図面を参照してこれから記述され、同様の参照符号は、全ての図面を通して同類の要素を指すように使用される。以下の説明では、解釈のために、複数の具体的な詳細な記述は、１以上の面の充分な理解を与えるために説明される。しかしながら、このような面がこれらの具体的な詳細な記述なしに実施されることができるのは、明らかであろう。他の例では、既知の構造及びデバイスは、１以上の態様を記述することを容易にするためにブロック図の形式で示されている。
【００２２】
さらに、本開示の種々の態様は、以下に記述される。本明細書に教示することが種々の形態に具体化されることができること、並びに本明細書に開示される特定の構造及び／又は機能が単に代表的なものすぎないことは、明白であろう。本明細書に教示することに基づいて、当業者は、本明細書に開示される一態様が他のいかなる態様と独立に実施されてもよく、これらの２以上の態様が種々の方法で組み合わされてもよいことを充分に理解するであろう。例えば、装置は、本明細書に説明される複数の態様を使用して実施されてもよい、また、方法は、本明細書に説明される複数の態様を使用して実行されてもよい。さらに、装置は、本明細書に説明される１以上の態様に加えて、又はこれらの態様以外の他の構造及び／又は機能性を使用して実施されてもよく、また、方法は、本明細書に説明される１以上の態様に加えて、又はこれらの態様以外の他の構造及び／又は機能性を使用して実行されてもよい。一例として、本明細書に記述される多数の方法、デバイス、システム及び装置は、同期された伝送及びＳＦＮデータの再伝送を提供するアドホックな、即ち、計画されずに／ある程度計画されて展開された無線通信環境との関連で記述される。当業者は、同様の技術を他の通信環境に適用可能であることを充分よく理解するであろう。
【００２３】
本出願に使用されるように、「要素」、「システム」等の用語は、コンピュータ関連のエンティティ（entity）、ハードウェア、ソフトウェア、実行中のソフトウェア、ファームウェア、ミドルウェア、マイクロコード、及び／又はそのいかなる組み合わせを指すように意図される。例えば、要素は、プロセッサ上で実行中のプロセス、プロセッサ、オブジェクト、実行ファイル、実行のスレッド、プログラム、及び／又はコンピュータであってもよいが、これらに限定されない。１以上の要素は、プロセス及び／又は実行のスレッド内に存在することができ、１つの要素は、１つのコンピュータに集中される、及び／又は２以上のコンピュータ間に分配されることができる。また、これらの要素は、その上に格納される種々のデータ構造を有する種々のコンピュータ読み出し可能媒体から実行することができる。要素は、１以上のデータパケット（例えば、局所システム内で、分散システム内で、及び／又は信号を介して他のシステムと情報交換するインターネットのようなネットワークを介して、情報をやりとりした１つの要素からのデータ）を有する信号に従うようにローカル及び／又はリモートプロセスを介して通信することができる。さらに、本明細書に記述されるシステムの要素は、それに関して記述された種々の態様、目的、利点等を達成することを容易にするように追加要素によって再配置される、及び／又は補完されてもよく、また、当業者によって充分に理解されるように、特定の図に記述される厳密な構成に限定されない。
【００２４】
さらに、種々の態様は、加入者設備と関連して本明細書に記述されている。加入者設備は、システム、加入者ユニット、移動局、携帯電話、遠隔ステーション、遠隔端末、アクセス端末、ユーザ端末、ユーザエージェント、ユーザ機器、又はユーザ装置と呼ばれることもある。加入者設備は、セルラ電話、コードレス電話、セッション確立プロトコル（ＳＩＰ）電話、ワイヤレス・ローカル・ループ（ＷＬＬ）ステーション、携帯情報端末（ＰＤＡ）、無線接続機能を有する携帯用機器、或いは、ワイヤレスモデム又は制御演算装置との無線通信を容易にする同様のメカニズムに接続される制御演算装置であってもよい。
【００２５】
さらに、種々の態様又は本明細書に記述される特徴は、方法、装置、或いは標準的なプログラミング及び／又は工学技術を使用した製品として実施されることができる。本明細書に使用される用語「製品」は、いかなるコンピュータ読み出し可能デバイス、キャリア又は媒体からアクセス可能なコンピュータプログラムを含むように意図される。例えば、コンピュータ読み出し可能媒体は、磁気記憶装置（例えば、ハードディスク、フロッピー（登録商標）ディスク、磁気ストリップ．．．）、光ディスク（例えば、コンパクトディスク（ＣＤ）、デジタル多用途ディスク（ＤＶＤ）．．．）、スマートカード、及びフラッシュメモリ機器（例えば、カード、スティック、キードライブ．．．）を、これらに限定されることなく、含むことができる。さらに、本明細書に記述される種々の記憶媒体は、情報を格納するための１以上のデバイス及び／又は他のコンピュータ読み出し可能な媒体を示すことができる。この用語「コンピュータ読み出し可能媒体」は、無線チャネルと、命令及び／又はデータを格納可能、収容可能、及び／又は送信可能な種々の他の媒体とを、これらに限定されることなく、含むことができる。
【００２６】
さらに、用語「典型的な（exemplary）」は、例、事例又は実例であること意味するように本明細書に使用されている。「典型的」として本明細書に記述されるいかなる態様又は設計は、必ずしも他の態様又は設計よりも優先である又は有利であると解釈されるとは限らない。むしろ、典型的という用語の使用は、具体的な方法における概念を示すように意図される。本出願に使用されるように、用語「又は（or）」は、排他的な「又は」よりもむしろ包含的な「又は」を意味するように意図される。即ち、指定の他の使用方法でない、又は文脈から明白でなければ、「ＸがＡ又はＢを使用する」が通常の包括的な置換のいずれかを意味するように意図される。即ち、ＸがＡを使用する、ＸがＢを使用する、又はＸがＡ及びＢを使用するならば、「ＸはＡ又はＢを使用する」が前述の例のいずれかを満たす。さらに、指定の他の使用方法でない、又は単数形に向けられるように文脈から明らかでなければ、本出願及び添付される特許請求の範囲に使用されるような事項「１つの（a）」及び「１つの（an）」は、「１以上」を意味するように意図される。
【００２７】
本明細書に使用されるように、「推定する」又は「推論」という用語は、事象及び／又はデータを介して得られるような一連の観測から、システム、環境及び／又はユーザの状態を推論する又は推察するプロセスを一般に示す。推論は、特定の状況又は行動を特定するように使用されることができる、或いは、例えば、状態の確率分布を生成することができる。推論は、確率的である、即ち、データ及び事象の考慮に基づいた関心の状態上の確率分布の計算であることができる。推論は、一連の事象及び／又はデータから上位の事象を構成するために使用される技術を示すことができる。このような推論は、一連の観測される事象及び／又は格納される事象のデータから新しい事象又は行動の解釈に帰着され、事象が時間的な近接に相関されるか否か、また、事象及びデータが１以上の事象及びデータソースに起因するか否かに帰着される。
【００２８】
図１は、複数の基地局１１０及び複数の端末１２０を有する無線通信システム１００を示し、１以上の態様に併用されることができる。基地局は、一般的に端末と通信する固定された局であり、アクセスポイント、ノードＢ、又は他の何らかの専門用語で呼ばれることもできる。各基地局１１０は、１０２ａ、１０２ｂ及び１０２ｃを付された３つの地理上のエリアで例示される特定の地理上のエリアに対して通信範囲（communication coverage）を提供する。用語「セル（cell）」は、この用語が使用される文脈に応じて基地局及び／又はサービスエリアを指すことができる。システム容量を向上するために、基地局のサービスエリアは、複数のより小さなエリア（例えば、３つのより小さなエリア、図１のセル１０２ａに従って）１０４ａ、１０４ｂ及び１０４ｃに分割されることができる。より小さい各エリアは、個別のベース・トランシーバー・サブシステム（base transceiver subsystem）（ＢＴＳ）によってサーブされる（served）ことができる。用語「セクタ（sector）」は、この用語が使用される文脈に応じてＢＴＳ及びそのサービスエリアを指すことができる。セクタ化されたセルにおいて、そのセルの全セクタに対するＢＴＳは、一般的にそのセルのための基地局内で同一場所に配置される。本明細書に記述される伝送方法は、セクタ化されたセルを有するシステム及びセクタ化されていないセルを有するシステムに対して使用されることができる。簡単にするために、以下の説明では、用語“基地局”は、セクタをサーブする固定された局及びセルをサーブする固定された局として一般的に使用される。
【００２９】
端末１２０は、一般的にシステムの至るところに分散され、各端末は、固定式又は移動式でありうる。端末は、移動局、ユーザ機器、ユーザ装置、又は他のなんらかの専門用語で呼ばれることもできる。端末は、無線装置、セルラ電話機、携帯情報端末（ＰＤＡ）、無線モデムカード等とすることができる。各端末１２０は、任意の瞬間にダウンリンク及びアップリンクでゼロ、１又は複数の基地局と通信することができる。ダウンリンク（即ち、順方向リンク）は、基地局から端末への通信リンクを指し、アップリンク（即ち、逆方向リンク）は、端末から基地局への通信リンクを指す。
【００３０】
中央集中アーキテクチャにおいて、システムコントローラ１３０は、基地局１１０に結合され、基地局１１０に対する調整及び制御を提供する。分散アーキテクチャにおいて、基地局１１０は、必要に応じて互いに通信することができる。順方向リンク上でのデータ伝送は、順方向リンク及び／又は通信システムによってサポートされることができる最大データレート又はその付近で１つのアクセスポイントから１つのアクセス端末へ起こる。順方向リンクの付加的なチャネル（例えば、制御チャネル）は、複数のアクセスポイントから１つのアクセス端末まで送信されることができる。逆方向リンクのデータ通信は、１つのアクセス端末から１つ以上のアクセスポイントに起こる。
【００３１】
図２は、種々の態様に従って、アドホックな、即ち、計画されずに／ある程度計画された無線通信環境２００の説明図である。システム２００は、無線通信信号を受信し、互いに及び／又は１以上の携帯機器２０４に無線通信信号を送信し、これらを反復する等する１以上のセクタ内に１以上の基地局２０２を具備することができる。図示されるように、各基地局２０２は、２０６ａ、２０６ｂ、２０６ｃ及び２０６ｄを付される３つの地理上のエリアで図示される特有の地理上のエリアに対して通信範囲を提供することができる。各基地局２０２は、送信機チェーン（transmitter chain）及び受信機チェーン（receiver chain）を含むことができ、送信機チェーン及び受信機チェーンの各々は、当業者によって充分理解されるように、信号伝送及び受信と関連する複数の要素（例えば、プロセッサ、モジュレータ、マルチプレクサ、デモジュレータ、アンテナ等）を同様に具備することができる。携帯機器２０４は、例えばセルラ電話機、スマートフォン、ラップトップ、携帯用通信機器、携帯用コンピュータ機器、衛星ラジオ、グローバル・ポジショニング・システム、ＰＤＡ及び／又は無線通信ネットワーク２００上で通信するのに好適な他のいかなる機器でありうる。システム２００は、以降の図面に関して説明されるように、無線通信環境にフィードバックを提供することを容易にするために本明細書に記述される種々の態様と連動して使用されることができる。
【００３２】
図３〜７を参照すると、シングルキャリア周波数分割多元接続（ＳＣ−ＦＤＭＡ）環境における周波数ホッピングを提供することに関連する手順が示されている。一般的な周波数ホッピングは、標準的なＦＤＭＡ環境及び直交ＦＤＭＡ（ＯＦＤＭＡ）環境において実証されてきた、一方、シングルキャリア環境は、周波数ホッピングに対して特定の問題をもたらす。第１に、伝送期間に対するデータ及びトーンアサインメントは、任意に入れ替えられることができない。そうすることは、一般的にシングルキャリアの制約を破棄することになる。例えば、局所的ＳＣ−ＦＤＭＡ波形の連続的なアサインメントは、保持されなければならない。結果として、本発明の開示は、シングルキャリアの制約を保持する制限されたホッピング方法を提供する。本明細書に使用されるように、３例の方法が提供され、これら３例の方法は、周期的シフト周波数ホッピング（cyclic shift frequency hopping）、ミラー転置周波数ホッピング（mirror transposition frequency hopping）、及び周波数選択スケジューリングを用いた周波数ホッピングを統合する多重化方法と称される。しかしながら、本明細書で特に明確に記述されるのではなくて請求される主題及び関連する図面の範囲内に含まれる付加的な周波数シフト方法も主題の詳細に組み込まれることは、充分に理解されるべきである。
【００３３】
さらに、説明を簡単にするために、手順が一連の行動として示されて記述され、１以上の態様に従っていくつかの行動が異なる順序で、及び／又は本明細書に示されて記述される他の行動と同時に起こることができるように、手順がその行動の順序に制限されないと理解されて評価されるべきである。例えば、当業者は、手順が、例えば状態図等の中に一連の相関関係を有する状態又は事象として選択的に示されることができることを理解して評価するだろう。さらに、図示された全行動が１以上の態様に従って手順を実施するように要求されることができるとは限らない。
【００３４】
図３は、ＳＣ−ＦＤＭＡ環境における周波数ホッピングを提供することを容易にする手順例３００を示している。方法３００は、ＳＣ−ＦＤＭＡ伝送の低いピーク電力対平均電力比（ＰＡＰＲ）特性を有する周波数ホッピングの干渉の低減及び帯域幅のダイバーシティ利得を提供するために、局所ＳＣ−ＦＤＭＡ（ＬＦＤＭＡ）アサインメントと一致する制御された周波数ホッピングの方法を容易にすることができる。より具体的な例として、方法３００は、伝送アロケーションリソースユニットを複数のタイム及び周波数ベースサブ部分に分割することができる。さらに、タイムベースサブ部分にわたって割り当てられたユーザデータは、相違する周波数サブポーションを割り当てられることができる。より具体的には、低いＰＡＰＲ伝送を容易にするのに必要となる連続的なトーンアサインメントを保持するために、方法３００は、全体のシステム帯域幅を法として、タイムサブ部分を線形的にわたってユーザデータのセグメントを周波数シフトすることができる（例えば、線形に周期的シフトの詳細な描写に関する後に参照される図９を参照）。二者択一的に又はさらに、方法３００は、全体のシステム帯域幅の中心線を越えてユーザデータのセグメントをミラー転置することができる（例えば、ミラー転置の詳細な描写に関する後に参照される図１０を参照）。
【００３５】
方法３００によれば、３０２において、アロケーション期間伝送ユニット（ＴＸＭＩＴユニット）は、複数のタイムベーススロット、及び複数の周波数ベース細分に分割されることができる。例えば、ＴＸＭＩＴは、各々が複数の周波数細分の部分を有する少なくとも２つのタイムベーススロットに分割されることができる。例えば、ＴＸＭＩＴユニットは、１ｍｓの全体の伝送時間間隔（ＴＴＩ）を有することができる。さらに、例えば、周波数細分は、ＴＸＭＩＴユニットの全体の周波数帯域幅の一部分、例えば９メガヘルツ（ＭＨz）、を夫々共有することができる。いかなる適切なＴＴＩ又は合計の周波数帯域幅が主題の開示及びシングルキャリア伝送の制約に従ってＴＸＭＩＴユニットと関連付けられることができるのは、充分に理解されるべきである。
【００３６】
３０４において、ユーザデータの一部分は、第１のタイムスロットの第１の周波数細分に割り当てられることができる。ユーザデータは、ＳＣ−ＦＤＭＡ関連ネットワーク上で伝えられる任意の通信ネットワークサービス（例えば、音声サービス、テキストサービス、例えば、テキストメッセージ及びインスタントメッセージ等、データサービス、例えば、ストリーミングビデオ、ストリーミングオーディオ、ウェブブラウジング、インターネットを含む遠隔データネットワークを使用したデータ転送等）に関連付けられることができる。より具体的な非限定的な例として、ストリーミングビデオサービスに関連するデータの第１の部分は、ＴＸＭＩＴユニットと関連する周波数帯域幅の９００キロヘルツ（ｋＨｚ）細分に割り当てられることができる。より具体的には、９００ｋＨｚ細分は、任意の適当な細分、例えば、ＴＸＭＩＴユニットの９ＭＨｚ帯域幅の第１、第２、第３…第９、又は第１０の細分等となることができる。当業者が請求された主題及び関連する開示の範囲内にあるような周波数細分、全体の帯域幅及びデータアロケーションの他の適当な組み合わせを認識するのは、充分に理解されるべきである。このような組み合わせは、本明細書に組み込まれる。
【００３７】
３０６において、ユーザデータの連続部分のアロケーションは、第２の連続タイムスロットの第２の周波数細分にシフトされる。前の例を継続すると、ユーザデータの連続部分は、ストリーミングビデオアプリケーションと関連する付加的なストリーミングビデオ情報であることができる。さらに、ユーザデータの連続部分は、第１及び第２のタイムスロット間での周波数ホッピングを容易にする第２のタイムスロットの異なる９００ＭＨｚ周波数細分に割り当てられることができる。結果として、周波数ホップされた伝送における低い干渉効果は、方法３００によってＳＣ−ＦＤＭＡ環境に組み入れられることができる。より詳細には、第１の周波数細分及び第２の周波数細分間の関係は、伝送におけるトーンアサインメントの連続性を保持することを維持されることができる（例えば、ＳＣ−ＦＤＭＡ伝送の連続的なトーンアサインメントの詳細な描写に関する図８を参照）。結果として、ＬＦＤＭＡ伝送の有益な低いＰＡＰＲ特性は、アップリンク伝送中に端末機器の出力を低減することができ、保持されることもできる。結果として、方法３００は、周波数ホッピングをＳＣ−ＦＤＭＡ環境に組み込む新規のアプローチを提供することができ、従って、両伝送アーキテクチャの利得を兼ね備えることができる。
【００３８】
図４は、ＳＣ−ＦＤＭＡ伝送に対する周期的シフト周波数ホッピングを提供するための手順４００の一例を示している。特定の態様によれば、方法４００は、スケジュールされたＬＦＤＭＡアロケーション期間の連続的なトーンアサインメントを保持する制限された方法における周波数ホッピングを提供することができる。結果として、方法４００は、周波数ホッピング及びＳＣ−ＦＤＭＡ通信アーキテクチャの利得を統合することを容易にする。
【００３９】
方法４００によれば、４０２において、アップリンクＳＣ−ＦＤＭＡアロケーション伝送ユニット（ＴＸＭＩＴユニット）は、複数のタイムベーススロット及び複数の周波数ベース細分に分割されることができる。例えば、ＴＸＭＩＴユニットの各スロットは、ＴＸＭＩＴユニットの全体のＴＴＩ（例えば、１ｍｓ）の一部分を割り当てられることができ、各周波数細分は、ＴＸＭＩＴユニットの周波数帯域幅（例えば、９ＭＨｚ）の一部分を割り当てられることができる。加えて、周波数細分は、各タイムスロットが各周波数細分の一部分を割り当てられるように、全ＴＴＩに及ぶことができる。
【００４０】
４０４において、第１のタイムスロットにおける第１の周波数細分は、ＴＸＭＩＴユニットの第２のタイムスロットにおける第２の周波数細分から周波数帯域幅の略半分だけの周波数中で分離されることができる。例えば、周波数帯域幅が９ＭＨｚであるとするとその略半分は、略４．５ＭＨｚである。従って、第１及び第２の細分は、周波数において略４．５ＭＨｚシフトされることができる。さらに、参照番号４０２で作られた細分の各々は、全体の周波数帯域幅を法としてＴＸＭＩＴユニットの周波数帯域幅の線形的に略半分シフトされることもできる（例えば、周波数帯域幅の略半分の線形周波数シフトの詳細な描写に関する図９を参照）。
【００４１】
前に例証した例のように、方法４００に従ったＴＸＭＩＴユニットは、１０ＭＨｚの全体の帯域幅を有することができる。ＴＸＭＩＴユニットは、４つの周波数ディビジョンに分割されることができ、４つの周波数細分の帯域幅を加えて正確に１０ＭＨｚになるように、各周波数細分が略２．５ＭＨｚの帯域幅を有する。さらに、参照番号４０４に従って、第１の周波数細分は、例えば全体の帯域幅の０から２．５ＭＨｚの部分に対応する２．５ＭＨｚの帯域幅を有し、第２のタイムスロットの対応細分から全体の帯域幅の略半分（例えば、５０ＭＨｚ）だけ周波数中で分離されることができる。結果として、この対応細分は、全帯域幅の５．０ＭＨｚから７．５ＭＨｚ部分に対応する２．５ＭＨｚの帯域幅を実質的に有することができる。
【００４２】
同様に参照番号４０４に従って、帯域幅における線形シフトは、全体の帯域幅のスペクトルの上端から全体の帯域幅のスペクトルの下端まで、逆もまた同様に、をラップする（ ‘wrap’）ことができる。例えば、第１のタイムスロットの第１の細分が全体の帯域幅の７．５ＭＨｚから１０．０ＭＨｚの部分に対応するとしたら、第２のタイムスロットにおける線形的にシフトした対応細分（例えば、第２の細分）は、全体の帯域幅の２．５ＭＨｚから５．０ＭＨｚ部分を含むことができる。付加的な例のように、全体の帯域幅の５．０ＭＨｚから７．５ＭＨｚ部分を有する第１の細分は、全体の帯域幅の０から２．５ＭＨｚ部分を有する第２の細分に対応することができる。結果として、周波数における線形シフトは、スペクトルの上限（例えば、１０．０ＭＨｚ）からスペクトルの下限（例えば、０ＭＨｚ）まで、逆もまた同様に、をラップすることができる。結果として、連続的なトーンアサインメントは、方法４００の態様に従って、及び一般に開示された本主題に従って保持されることができる。
【００４３】
４０６において、ユーザデータは、第１のタイムスロットにおける第１の細分に割り当てられることができる。４０８において、ユーザデータの追加部分は、第２のタイムスロットの第２の周波数細分に割り当てられることができる。例えば、ユーザデータは、ウェブ閲覧トラフィックと関連されることができる。ウェブブラウジングトラフィックの第１の部分は、第１のタイムスロット（例えば、ＴＸＭＩＴユニットのタイムベース部分）に割り当てられることができ、ウェブ閲覧トラフィックの第２の部分は、第２のタイムスロットに割り当てられることができる。さらに、第１のタイムスロット中のウェブ閲覧トラフィックは、上述のように、全体の帯域幅の０ＭＨｚから２．５ＭＨｚ部分に割り当てられる第１の周波数細分中にあることができる。次に、ウェブブラウジングトラフィックの第２の部分を、全体の帯域幅の５．０ＭＨｚから７．５ＭＨｚに割り当てられる線形的にシフトする（全体の周波数帯域幅を法として）第２の周波数細分に割り当てることによって、周波数ホッピングは、伝送周波数分散の高度を用いて定められることができる。結果として、対応するＳＣ−ＦＤＭＡ信号における干渉は、周波数分散によって、大幅に低減され、伝送効率が増加されることができる。さらに、参照番号４０６及び４０８で提供されたアロケーションのスケジュールは、セル内で端末機器へ送信されることができる。結果として、このアロケーションに従った伝送は、連続的なトーンアサインメントを保持することができ、ＳＣ−ＦＤＭＡ伝送と関連する低いＰＡＰＲを可能にする。従って、方法４００は、シングルキャリア環境のための周波数ホッピングを提供することに関連する１つの特定の態様を提供する。
【００４４】
記述されるように、周波数細分の丁寧な分割がシングルキャリアの制限を保持するのに有益になりうることは、充分に理解されるべきである。例えば、ユーザデータのブロックが全体の周波数帯域幅の中心線（例えば、１０．０ＭＨｚの全体の帯域幅における５．０ＭＨｚの中心線、９．０ＭＨｚの全体の帯域幅における４．５ＭＨｚの線）に及ぶとすると、上述した線形的にシフトした周波数「ラッピング」技術は、シングルキャリア伝送に対して要求される連続的なトーンアサインメントを破棄し、ユーザデータを周波数スペクトルの上方限界及び周波数スペクトルの下方境界に同時に出現させる。結果として、この中心線に及ぶデータブロックを回避することは、方法４００の周期的な周波数シフトとともに適切なＳＣ−ＦＭＤＡ伝送を促進するのに役に立つことができる。さらに、以下に記述されるさらなる実施形態は、周波数スペクトルの中心線に及ぶデータブロックによってもたらされる問題を軽減する選択的なメカニズムを提供する。
【００４５】
図５は、ＳＣ−ＦＤＭＡ伝送にミラー転置周波数ホッピングを提供する手順の一例を示している。以下に記述されるように、ミラー転置周波数ホッピングは、周波数スペクトルの中心線に及ぶデータブロックと関連する問題を低減するのに役に立つことができる。例えば、シングルキャリアの制約は、データブロックのトーンアサインメントが連続的であることを要請することができる。さらに具体的には、伝送アロケーション期間の周波数セグメントに割り当てられたデータは、そのセグメント中に他のデータによって割り込まれるべきでない。例として、データのブロックが周波数スペクトルの２．５ＭＨｚから５．０ＭＨｚの部分に割り当てられる場合、そのブロックと関連したデータだけがデータの連続性を維持するためにこの２．５ＭＨｚから５．０ＭＨｚ部分内に含まれるべきである。他方では、周波数セグメントが周波数スペクトルの上限及び下限に及ぶ場合、その周波数セグメントに割り当てられたデータが周波数中で連続的でない（例えば、周波数スペクトルの０から１．２ＭＨｚ部分及び８．８ＭＨｚから１０．０ＭＨｚ部分からなる第２の周波数細分は、上述したように、１０．０ＭＨｚの全体の帯域幅スペクトルの中心線に及ぶ３．８ＭＨｚから６．２ＭＨｚ部分を有する第１の周波数細分に適用される５．０ＭＨｚの線形シフト及びスペクトルラッピングに由来することができる）、このことは、特に、データの一部が下限部分にあり、上限部分にあるデータの残り部分から周波数中で割り込まれる（例えば、前の０から１．２ＭＨｚ及び８．８ＭＨｚから１０．０ＭＨｚの例に関して、他のデータに割り当てられた１．２ＭＨｚ及び８．８ＭＨｚ間の周波数スペクトルの部分）ためである。
【００４６】
方法５００で記述されるミラー転置技術は、方法４００で記述された周期的シフト周波数ホッピングに対して中心線周波数に及ぶデータと関連する問題を低減する又は解消することができる（方法５００で利用されるようなミラー転置の詳細な描写に関する図１０を参照）。ミラー転置を用いて、第１及び第２の周波数細分（例えば、夫々第１及び第２のタイムスロットに相当する）は、ＴＸＭＩＴの周波数帯域幅の中心線周波数を超えて転置されることができる。結果として、第１の周波数細分が中心線の夫々下方及び上方に実質的にある時、第２の周波数細分は、中心線の上方又は下方の略等しい距離にあることができる。ミラー転置は、中心線に及ぶデータブロックがなおも連続的であることを暗示する。即ち、このブロックの上部が下部と置き換えられ、その逆も同様であり、そのブロックは、なおも中心線に及び、シングルキャリアの制限を保持して、そのトーンアサインメントは、なおも連続的である。
【００４７】
方法５００によれば、５０２において、アップリンクＳＣ−ＦＤＭＡのＴＸＭＩＴユニットは、タイムベーススロット及び周波数ベース細分に分割されることができる。５０４において、第１のタイムスロットの細分は、帯域幅の周波数スペクトルの中心線を越えて第２のタイムスロットの細分と置き変えられることができる。特定の一例として、略５．０ＭＨｚに中心線を有する１０．０ＭＨｚスペクトルの０ＭＨｚから２．５ＭＨｚに及ぶ細分は、１０．０ＭＨｚスペクトルの略７．５ＭＨｚから１０．０ＭＨｚ及ぶように第２のタイムスロットに置き変えられる。さらなる一例として、１０．０ＭＨｚスペクトルの４．０ＭＨｚから６．５ＭＨｚに及ぶ細分は、スペクトルの中心線に及び、１０．０ＭＨｚスペクトルの略３．５ＭＨｚから６．０ＭＨｚ及ぶように第２のタイムスロットに方法５００で置き変えられることができる。後者の例は、周波数スペクトルの中心線に及ぶデータブロックがその周波数スペクトルの連続的なトーンアサインメントを保持するように、いかにして第２のタイムスロットに周波数ホッピングされることができるかを示している。
【００４８】
５０６において、ユーザデータは、第１のタイムスロットにおける第１の細分に割り当てられることができる。５０８において、ユーザデータの追加部分は、第２のタイムスロットの第２の細分に割り当てられることができる。５１０において、アロケーションのスケジュールは、例えば、ユーザデータを要求して、デバイス（例えば、セル方式の携帯無線電話、マルチモード電話、無線機器等の端末機器）に送信されることができる。記述されるように、方法５００は、連続的なトーンアサインメントを保持する方式でのＳＣ−ＦＤＭＡ環境における周波数ホッピングに対して提供される。さらに、方法５００のミラー転置メカニズムは、上述したように、スペクトル周波数中心線に及ぶデータブロックと関連する問題を低減する又は解消することができる。
【００４９】
方法５００のミラー転置メカニズムが周期的シフト周波数ホッピングと比較すると低効率になることができるのは、充分理解されるべきである。特に、周波数ホッピングと一般的に関連する低減された干渉に関して、ミラー転置は、周波数スペクトルの中心線周波数に近いデータブロックに対して低い細分分散度をもたらすことができる。しかしながら、後により詳細に記述される多重化メカニズムは、周波数拡散問題のいくつかを多少とも解決する助けになることができる。
【００５０】
図６は、１以上の態様に従ってユーザデータのアロケーションに基づくＳＣ−ＦＤＭＡ周波数ホッピングのメカニズムの中から選定する手順６００の一例を示している。図示されるように、方法６００は、低いＰＡＰＲ及び干渉伝送に最も適当なＳＣ−ＦＤＭＡ周波数ホッピングメカニズムを決定するために伝送アロケーションユニットに対してデータの特定のアロケーションを解析することができる。記述された周波数ホッピングメカニズムの中から選定するための他のメカニズムが、本明細書に明確に述べられるのではなく主題の開示の範囲内で明確に述べられ、本明細書に組み込まれることは、充分に理解されるべきである。
【００５１】
方法６００によれば、６０２において、アップリンクＳＣ−ＦＤＭＡ伝送アロケーションユニット（ＴＸＭＩＴユニット）は、タイムスロット及び周波数細分に分割されることができる。６０４において、ＴＸＭＩＴユニットは、ＴＸＭＩＴユニットの周波数スペクトルの中心線付近に割り当てられるユーザデータを特定するために監査されることができる。例えば、中心線に及ぶユーザデータは、監査によって決定されて特定されることができる。６０６において、決定は、監査が中心線に及ぶデータを特定したかどうかに応じてなされる。データが中心線に及ばない場合、方法６００は、６０８に進み、ＴＸＭＩＴユニット内に割り当てられたデータの少なくとも一部が本明細書に記述されるような周期的シフト周波数ホッピングに従って再度割り当てられることができる。参照番号６０４でデータが中心線に及ぶと監査が決定する場合、方法６００は、６１０に進むことができる。６１０において、データの少なくとも一部は、本明細書に記述されるミラー転置周波数ホッピング技術に従って再度割り当てられることができる。参照番号６０８及び６１０に続いて、方法６００は、６１２に進み、データアロケーションのスケジュールは、例えば、ＳＣ−ＦＤＭＡアップリンクにおける周波数ホッピングされた伝送に対して、ユーザデータを消費する少なくとも１つのデバイスに送信されることができる。記述されるように、方法６００は、シングルキャリアの制約を保持する、且つ、高ダイバーシティ、低干渉及び低ＰＡＰＲ伝送を提供するのに最適であるＳＣ−ＦＤＭＡ環境における代替の周波数ホッピングメカニズムを提供することができる。
【００５２】
図７は、ＳＣ−ＦＤＭＡ環境において周波数ホッピング伝送及び非周波数ホッピング伝送を多重化する典型的な手順を示している。７０２において、アップリンクＳＣ−ＦＤＭＡ伝送アロケーションユニット（ＴＸＭＩＴユニット）は、本明細書に記述されるように、‘Ｍ’の周波数サブバンド及び少なくとも２つのタイムスロットに分離されることができる。７０４において、集合｛０，２，４．．．｝に対応する‘Ｍ’のサブバンドのいくつかは、周波数選択スケジューリング（ＦＳＳ）に割り当てられることができる。より詳細には、ＦＳＳデータは、サービス継続時間（例えば、ビデオシェアリング、ビデオ通話、ウェブ閲覧等）の全て又は少なくとも一部に対して、略一定の周波数部分に割り当てられることができる。７０６において、集合｛Ｍ，Ｍ−２，Ｍ−４．．．｝に対応する‘Ｍ’のサブバンドのいくつかは、周波数ホッピングスケジューリング（ＦＨＳ）に割り当てられることができる。さらに、ＦＳＳ及びＦＨＳサブバンドのアロケーションは、割り当てられたサブバンドの総計が‘Ｍ’に等しくなるように制限されることができる。
【００５３】
前述に加えて、上述された周期的シフト及び／又はミラー転置周波数ホッピング方法は、参照番号７０６において周波数ホッピングアロケーションの一部として組み込まれることができる。例えば、周期的シフト周波数ホッピングに関して、特定のユーザと関連するデータは、ＦＨＳサブバンドにマッピングされる。効果は、周波数スペクトルを二等分に分割することによって達成されることができ、二等分の夫々において略同数のサブバンドを有する。スペクトルの各半分のサブバンドは、同様の一連の番号を使用して番号付けられることができる（例えば、各半分のサブバンドが１，２，３，４．．．と夫々番号付けられる）。さらに、周波数スペクトルの各半分におけるサブバンドの同様の番号は、データのＦＳＳ又はＦＨＳセットのいずれかに割り当てられることができる（多重化されたＦＳＳ及びＦＨＳデータのアロケーションの詳細な描写に関する図１１を参照）。
【００５４】
７０８において、ＦＳＳ及びＦＨＳサブバンドは、ＴＸＭＩＴユニット内に多重化されることができる。特定の限定されない一例として、交互の周波数サブバンドは、ＦＳＳ及びＦＨＳデータに割り当てられることができる。さらに限定されない一例として、周波数スペクトルの下限にある周波数サブバンドは、ＦＳＳデータに割り当てられることができ、一方、周波数スペクトルの上限における周波数サブバンドは、ＦＨＳデータに割り当てられることができ、逆もまた同様である。当業者が、前の例において明確に述べられていないが、主題の開示の範囲内に含まれる他のアロケーション方法を認識することができることは、充分に理解されるべきであり、これらの方法は、本明細書に組み込まれる。７１０において、ＦＳＳ及びＦＨＳデータのアロケーションのスケジュールは、本明細書に記述される多重化周波数ホッピング方法に従ったデータのアップリンク伝送を容易にするように送信されることができる。結果として、方法７００は、例えば、種々の端末機器の伝達要件を容易にするように、ＴＸＭＩＴユニットにおける周波数ホップ及び非周波数ホップデータの部分を提供することを容易にすることができる。
【００５５】
図８は、低いピーク電力対平均電力比を提供することができるＳＣ−ＦＤＭＡ信号伝送の一例を示している。シリアル・パラレルコンバータ８０２は、例えば、直列に多重化された時間領域変調符号（time-domain modulation symbols）を有するデータの入力ストリームを受信することができる。シリアル・パラレルコンバータ８０２は、データの入力ストリームを並列な時間領域変調符号を有する出力ストリームに分割することができる。この出力ストリームは、Ｑポイント離散フーリエ変換（Ｑ−ｐｔＤＦＴ）デバイス８０４に提供されることができる。次に、データストリームは、Ｑ−ｐｔＤＦＴによって時間領域データの相異部分を周波数領域データに表現するように変換されることができる。次に、データの部分は、スペクトルの漏損を最小化するように周波数領域スペクトルをさらに形成することができるスペクトル形成要素８０６に提供されることができる。スペクトル形成要素８０６は、生じた周波数領域データストリームをトーンマップ要素８０８に送ることができ、このトーンマップ要素８０８は、データストリーム内のサブキャリアを、例えば、シングルキャリアの制約によって要請されるようなデータストリームの連続部分を占有している周波数スペクトルの特定部分に調整することができる。トーンマップ８０８は、マッピングされたデータストリームをＮポイント逆高速フーリエ変換（Ｎ−ｐｔＩＦＦＴ）８１０に提供することができる。Ｎ−ｐｔＩＦＦＴは、周波数領域データストリームを時間領域に戻す変換をすることができる。
【００５６】
図９は、本明細書に記述される１以上の態様に従って周期的シフト周波数ホッピングを採用する伝送アロケーションユニット（ＴＸＭＩＴユニット）の一例を示している。具体的には、ＴＸＭＩＴユニットは、特定の時間軸９０６によって分割される少なくとも２つのタイムベーススロット９０２及び９０４を有することができる。各スロット９０２，９０４は、複数の時間ブロック及び複数の周波数細分９０８，９１０，９１２，９１４にさらに分割されることができる。従って、図９のＴＸＭＩＴユニット内に描写されるデータの長方形部分の各々は、特定のタイムブロック及び特定の周波数細分９０８，９１０，９１２，９１４を含む。
【００５７】
図示されたＴＸＭＩＴユニットの例における各種のタイムブロックは、異なる種類の情報を配信する。例えば、スロット９０２，９０４は、７つのタイムブロックを有することができる。さらに、タイムブロックは、通信サービス又はパイロット情報のいずれかと関連することができる。結果として、各ブロックは、データブロック又はパイロット情報ブロックを示す「データ」又は「Ｐ」のいずれかを含む。さらに、パイロット情報は、特定のサービス又は端末機器（図示せず）と関連することができる（例えば、データ１，データ２，データ３，又はデータ４、若しくは、Ｐ１，Ｐ２，Ｐ３又はＰ４に相当し、例えば、整数は、夫々第１、第２、第３又は第４のサービス若しくは端末を示す）。さらに、特定のサービス／端末と関連するデータ及びパイロット情報は、特定の周波数細分９０８，９１０，９１２，９１４に割り当てられることができる。より具体的な例として、第１のサービス（例えば、データ１及びＰ１）と関連するデータ及びパイロット情報は、図示されるように、第１のタイムベーススロット９０２中の第１の周波数細分９０８に割り当てられることができる。さらに、第２のサービス（例えば、データ２及びＰ２）と関連するデータ及びパイロット情報は、第１のタイムベーススロット９０２中の第２の周波数細分９１０等に割り当てられることができる。
【００５８】
周期的シフト周波数ホッピングを実現するために、データは、第１のタイムスロット９０２と比較して第２のタイムスロット９０４中の相違する周波数細分９０８，９１０，９１２，９１４に割り当てられることができる。特定の例として、第１のタイムスロット内に送信される一連のデータ（例えば、データ１）及び第２のタイムスロット内に送信される対応する一連のデータ（例えば、データ１）間での周波数シフトは、ＴＸＭＩＴユニットに関連する全スペクトル帯域幅の略半分の線形シフトの大きさを有することができる。図９は、このようなシフトの一例を提供する。特に、第１のタイムスロット９０２（例えばデータ１）中の第３の周波数細分９１２と関連するデータは、第２のタイムスロットの第１の周波数細分９０８へ周波数の上方にシフトされる。これは、全体のスペクトル帯域幅の略半分のシフトである。さらに、図９は、また、上述したような周波数‘ラッピング’を描写している。より具体的には、第１のタイムスロット９０２中の第１の周波数細分９０８に割り当てられるデータは、第３の周波数細分９１２にシフトされ、周波数スペクトルの上位部から周波数スペクトルの下位部にラッピングされる。全体の帯域幅スペクトルの略半分以外の他の周波数シフト値が本発明の主題に従って実施されることができるのは、充分に理解されるべきであり、この周波数シフトメカニズムが主題の開示の一部として組み込まれる。
【００５９】
図１０は、主題の開示における付加的な態様に従ってミラー転置周波数ホッピングを採用した転置アロケーションユニットの一例を示している。具体的に、ＴＸＭＩＴユニットは、特定の時間軸１００６（例えば、ＴＸＭＩＴユニットに割り当てられる時間の半分、例えば、１ミリ秒の半分を示している）によって分割される少なくとも２つのタイムベーススロット１００２及び１００４を有することができる。各タイムスロット１００２及び１００４は、複数のタイムブロック及び複数の周波数細分１００８，１０１０，１０１２にさらに分割されることができる。従って、図１０のＴＸＭＩＴユニット内に図示されるデータの各長方形部分は、特定のタイムブロック及び特定の周波数細分１００８，１０１０，１０１２を含む。
【００６０】
図９に関して上述されたのと同様な方法で、図１０のＴＸＭＩＴユニット例の各タイムスロット１００２，１００４は、データサービスを割り当てられた６つのタイムブロック及びこのサービスの伝送と関係するパイロット情報を割り当てられた少なくとも１つのタイムブロックを有することができる。さらに、特定のサービス及び端末機器（図示せず）（例えば、データ１，データ２，データ３又はデータ４、若しくは、Ｐ１，Ｐ２，Ｐ３又はＰ４に相当し、例えば、整数は、夫々第１、第２、第３又は第４のサービス若しくは端末を示す）と関連するデータ及び／又はパイロット情報は、特定の周波数細分１００８，１０１０，１０１２に割り当てられることできる。
【００６１】
ミラー転置周波数ホッピングを実現するために、データは、第１のタイムスロット１００２と比較して第２のタイムスロット１００４中の相違する周波数細分１００８，１０１０，１０１２に割り当てられることができる。特定の例として、第１のタイムスロット１００２内に送信される一連のデータ（例えば、データ１）及び第２のタイムスロット１００４内に送信される対応する一連のデータ（例えば、データ１）は、全体の周波数スペクトル帯域幅の中心線１０１４周波数を超えて入れ替えられることができる。より詳細には、第２の細分１００８，１０１０，１０１２は、第１のタイムスロット１００２中の対応する第１の細分１００８，１０１０，１０１２に対して第２のタイムスロット１００４にシフトされることができ、第１の周波数細分１００８，１０１０，１０１２が夫々中心線１０１４の下方又は上方に実質的にあるように、第２の細分１００８，１０１０，１０１２が中心線１０１４の上方（例えば、より大きい）又は下方（例えば、より小さい）に略等距離にある。図１０は、このようなシフトの一例を提供する。特に、第１のタイムスロット１００２中の第１の周波数細分１００８に割り当てられるデータ（例えば、データ１）の第１のブロックは、周波数中心線１０１４を越えて第２のタイムスロット１００４中の第３の周波数細分１０１２に入れ替えられるように描写されている。より詳細には、第３の細分１０１２は、この中心線１０１４に関する転置に従って、第１の細分１００８が第１のタイムスロット１００２において中心線１０１４の上方（例えば、より大きい）にあるのと同様に、第２のタイムスロット１００４において中心線１０１４の下方に（例えば、より小さい）実質的に離れている。
【００６２】
前述に加えて、図１０に示されたミラー転置周波数ホッピングは、周期的シフト周波数ホッピングに関して起こりうるトーンアサインメントの非連続性を軽減する又は解消することができる。第２の周波数細分１０１０は、第１のタイムスロット１００２において周波数スペクトル中心線１０１４に及び、第１のタイムスロット１００２中で連続的である。しかしながら、上述したように周波数スペクトル中心線１０１４を越えて第２のタイムスロット１００４に転置される場合、データ（例えば、データ２）のブロックは、第２のタイムスロット１００４中でなおも連続的である。結果として、シングルキャリア伝送に対して要求される連続的なトーンアサインメントの制約は、描写されるようにミラー転置周波数ホッピングによって保持される。図１０（例えば、付加的な周波数細分化線、複数の周波数細分化線、例えば、４分割線等、又はこれらの同種のものを有する）内に特には描写されないが開示された主題の範囲内で当業者によって認識されるミラー転置の他の例が本明細書に組み込まれることは、充分に理解されるべきである。
【００６３】
図１１は、さらなる態様に従って多重化された周波数ホッピング及び非周波数ホッピングユーザデータを使用する伝送アロケーションユニット（ＴＸＭＩＴユニット）の一例を描写している。本明細書に記述されるようなＴＸＭＩＴユニットは、少なくとも２つのタイムベーススロット１１０２、１１０４を含むことができ、サービス又は特定の端末に対応するデータは、ＳＣ−ＦＤＭＡ環境における周波数ホッピングを容易にする２つのスロット１１０２，１１０４に関して周波数シフトされることができる。
【００６４】
周波数ホッピングの多重化は、周波数細分を２グループに分割すること及びこのグループの同種の細分を特定の周波数ホッピングスケジューリング（ＦＨＳ）又は周波数選択スケジューリング（ＦＳＳ）に割り当てることを組み込むことができる。例えば、特定の周波数（例えば、中心線周波数）よりも実質的に高い周波数細分１１０８，１１１０は、第１のグループを形成し、特定の周波数よりも実質的に低い周波数細分１１１２，１１１４は、第２のグループを形成する。例えば、細分１１１０及び１１１２間の中心線周波数（図示せず）は、細分グループを線引きすることができる。中心線よりも高い周波数の細分１１０８，１１１０内のデータは、グループ１を形成する。中心線よりも低い細分１１１２、１１１４内のデータは、グループ２を形成する。各グループの細分は、共通の一連の番号で記載されることができる。例えば、細分１１０８，１１１０，１１１２，１１１４を２つのグループに記載するのに充分な一連の数字は、｛１,２｝を含む。より詳細には、第１のグループの細分１１０８は、１と番号を付けられ、第１のグループの細分１１１０は、２と番号を付けられることができる。実質的に同様の方法で、第２のグループの細分１１１２は、１と番号を付けられ、第１のグループの細分１１１４は、２と番号を付けられることができる。
【００６５】
相違するグループ（例えば、第１又は第２のグループ）内にある同様の番号（例えば、１又は２）に割り当てられる各細分１１０８，１１１０，１１１２，１１１４は、ＦＨＳ伝送又はＦＳＳ伝送のいずれかに割り当てられることができる。図１１に描写されるように、細分１１０８は、中心線の上方の第１の細分であって、ＦＨＳに割り当てられ、その結果として、第１の細分１１０８に関係するデータ（例えば、データ１）は、第２のスロット１１０４中の第３の細分１１１２にシフトされる。上で定義されたような第１のグループ内の第２の細分である細分１１１０に割り当てられるデータは、ＦＳＳとしてスケジュールされ、その結果として、このデータ（例えば、データ２）は、第２のスロット１１０４中の第２の細分１１１０に同様に割り当てられる。同様の方法で、グループ２の細分１−１１１２及びグループ２の細分２−１１１４は、夫々ＦＨＳ及びＦＳＳスケジューリングに割り当てられる。本明細書に記述される、又は本明細書に明確に述べられる例を通じて当業者に開示される周波数ホッピング（例えば、ミラー転置又は多重化周波数ホッピング）の他の形式が主題の開示に組み込まれることは、充分に理解されるべきである。
【００６６】
図１２は、１以上の態様に従ってアップリンクＳＣ−ＦＤＭＡ伝送における周波数ホッピングを利用することができるアクセス端末の一例を示している。アクセス端末１２００は、信号を受信し、受信信号に対して一般的な行動を実施するアンテナ１２０２（例えば、伝送受信）を含む。具体的には、アンテナ１２０２は、ＳＣ−ＦＤＭＡアップリンク伝送等に用いる伝送アロケーションユニットの複数のスロットにわたるユーザデータの周波数シフトされたアロケーションに関する情報を受信することもできる。アンテナ１２０２は、受信したシンボルを復調してそれらを評価としてプロセッサ１２０６に提供することができる復調器１２０４を含むことができる。プロセッサ１２０６は、アンテナ１２０２によって受信される情報を解析する及び／又は送信機１２１６による伝送のための情報を生成するように設けられるプロセッサであることができる。さらに、プロセッサ１２０６は、アクセス端末１２００の１以上の要素を制御するプロセッサ、及び／又はアンテナ１２０２によって受信される情報を解析し、送信機１２１６による伝送のための情報を生成し、アクセス端末１２００の１以上の要素を制御するプロセッサであることができる。さらに、プロセッサ１２０６は、アップリンク伝送（例えば、基地局への）等と関連するアロケーションスケジュールを解読するための命令を実行することができる。
【００６７】
アクセス端末１２００は、動作可能なようにプロセッサ１２０６に結合され、送信、受信等されるべきデータを格納することができるメモリ１２０８をさらに含むことができる。メモリ１２０８は、アップリンクアロケーションデータ、周波数ホッピングを実行するためのプロトコル、並びにアロケーション伝送ユニット中のデータを整理し、周波数ホッピングされたデータを反多重化（de-multiplexing）し、アップリンク伝送において周波数ホッピングされた及びスケジュールされたデータを多重化する等のためのプロトコルに関連する情報を格納することができる。
【００６８】
本明細書に記述されるデータストア（例えば、メモリ１２０８）が揮発性メモリ又は不揮発性メモリのいずれかとすることができ、又は揮発性及び不揮発性メモリの両方を含むことができるのは、充分に理解されるだろう。実例であって限定されないとして、不揮発性のメモリは、リードオンリーメモリ（ＲＯＭ）、プログラマブルＲＯＭ（ＰＲＯＭ）、電気的にプログラマブルＲＯＭ（ＥＰＲＯＭ）電気的に消去可能なＰＲＯＭ（ＥＥＰＲＯＭ）、又はフラッシュメモリを含むことができる。揮発性メモリは、外部キャッシュメモリとして機能するランダムアクセスメモリ（ＲＡＭ）を含むことができる。実例であって限定されないとして、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲＳＤＲＡＭ）、エンハンスドＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）等の種々の形態において利用可能である。主題のシステム及び方法におけるメモリ１２０８は、これら及び他のいずれか適当なタイプのメモリを、これら限定されることなく、含むことを意図する。
【００６９】
アンテナ１２０２は、ユーザデータをアンテナ１２０２によって受信される情報と関連する伝送データパケットにまとめることができるスケジューラ１２１２に動作可能にさらに結合されることができる。より具体的には、スケジューラ１２１２は、アップリンク伝送に対して割り当てられる周波数帯域幅の略半分だけ伝送データパケットの相違するスロット内にユーザデータを周波数シフトすることができる（例えば、アップリンクＳＣ−ＦＤＭＡ伝送に対して提供する）。さらに、このユーザデータは、伝送アロケーションユニットと関連する周波数帯域幅の中心線周波数を越えて転置されるアロケーションユニットの周波数シフトされた細分に割り当てられることができる。
【００７０】
スケジューラ１２１２は、多重化プロセッサ１２１０にさらに結合されることができる。多重化プロセッサ１２１０は、無線ネットワークの要素（例えば、基地局）によって提供されるアップリンク伝送スケジュールと関連して周波数シフトされていない及び周波数シフトされたユーザデータから選択することができる。多重化プロセッサによって選択されたデータは、伝送データパケット内への取り込みためにスケジューラ１２１２へ提供されることができる。さらに、多重化プロセッサ１２１０は、メモリ１２０８に動作可能に結合され、そこに格納された多重化プロトコルにアクセスすることができる。
【００７１】
アクセス端末１２００は、変調器１２１４をさらに備え、また、例えば、基地局、アクセスポイント、他のアクセス端末、リモートエージェント等に信号（例えば、伝送データパケットを含む）を送信する送信機１２１６を備える。プロセッサ１２０６から分離して描かれているが、多重化プロセッサ１２１０及びスケジューラ１２１２がプロセッサ１２０６又は複数のプロセッサ（図示せず）の一部とすることができるのは、充分に理解されるべきである。
【００７２】
図１３は、シングルキャリアの制約を保持する方式のＳＣ−ＦＤＭＡ環境における周波数ホッピングを容易にするシステム１３００の具体例である。システム１３００は、複数の受信アンテナ１３０６を経由して１以上の携帯機器１３０４から信号を受信する受信機１３１０と、伝送アンテナ１３０８を経由して１以上の携帯機器１３０４に伝送する送信機１３２４とを有する基地局１３０２（例えば、アクセスポイント、．．．）を備えている。受信機１３１０は、受信アンテナ１３０６から情報を受信し、基地局１３０２によって提供される伝送アロケーション周期と関連してスケジュールされたアップリンクデータを受信する信号受信部（図示せず）をさらに備えてもよい。さらに、受信機１３１０は、受信した情報を復調する復調器１３１２に動作可能に結合される。復調されたシンボルは、メモリ１３１６に結合されるプロセッサ１３１４によって解析される。このメモリ１３１６は、ＳＣ−ＦＤＭＡ伝送のシングルキャリアの制約を保持する方式の周波数ホッピングを提供すること、周波数中心線に関してユーザデータのアロケーションを定める伝送アロケーション周期の監査を提供すること、並びに連続的なトーンアサインメントを保存する周波数ホッピング方法から選択することに関連する情報、及び／又は本明細書に記載される種々の行動及び機能を実行することに関する他のいずれの適切な情報を格納する。
【００７３】
プロセッサ１３１４は、伝送アロケーションユニットを少なくとも２つのタイムベーススロットに分割することができる多重化プロセッサ１３１８にさらに結合され、このタイムベーススロットは、複数の周波数細分を有する。さらに、多重化プロセッサ１３１８は、互いに関連する伝送アロケーションユニットの１以上の周波数細分を周波数シフトすることができる。特定の一例として、第１のタイムスロットにおける周波数細分は、第２のタイムスロット中で伝送帯域幅の略半分だけシフトされることができる。代わりに又はさらに、周波数細分は、本明細書に記述されるような伝送アロケーションユニットと関連する周波数帯域幅の中心線周波数を越えて転置されることができる。さらに、多重化プロセッサ１３１８は、第１及び第２のタイムスロットと関連する実質的に等価の周波数細分に割り当てられる追加ユーザデータとともに、第１のタイムスロットの第１の周波数細分及び第２の連続タイムスロットの第２の周波数細分に割り当てられるユーザデータを統合することができる。
【００７４】
多重化プロセッサ１３１８は、スケジューラ１３２０に結合されることができ、このスケジューラ１３２０は、ユーザデータの一部分を第１のタイムスロットの第１の周波数細分に割り当てることができ、ユーザデータの連続部分を第２の連続タイムスロットの周波数シフトされた第２の周波数細分に割り当てる。さらに、スケジューラ１３２０は、送信機１３２４に結合されることができ、この送信機１３２４は、前述に加えて、ユーザデータの第１の部分のアロケーション及びユーザデータの第２の部分のシフトされたアロケーションと関連する情報をＳＣ−ＦＤＭＡアップリンク伝送用の端末機器に送信することができる。
【００７５】
前述に加えて、プロセッサ１３１４は、ユーザデータの連続部分に割り当てられる第２の連続タイムスロットの第２の周波数細分を特定するようにユーザデータのスケジュールを評価することができる。より詳細には、プロセッサ１３１４は、ユーザデータが伝送アロケーションユニットと関連する周波数帯域幅の中心線を越えて割り当てられるか否かを決定することができる。このような決定がなされる場合、多重化プロセッサ１３１８は、本明細書に記述されるようにシングルキャリアの制約を保持するように１以上の周波数ホッピング方法から選択することができる。
【００７６】
これより図１４を参照すると、ダウンリンク上で、アクセスポイント１４０５において、伝送（ＴＸ）データプロセッサ１４１０は、トラフィックデータ（又は、シンボルマップ）を受信し、フォーマットし、符号化し、変調して、変調シンボル（“データシンボル”）を提供する。シンボル変調器１４１５は、データシンボル及びパイロットシンボルを受信及び処理してシンボルストリームを提供する。シンボル変調器１４２０は、データ及びパイロットシンボルを多重化し、それらを送信機ユニット（ＴＭＴＲ）１４２０に提供する。各伝送シンボルは、データシンボル、パイロットシンボル、又はゼロの信号値であることができる。パイロットシンボルは、各シンボルの周期において連続的に送信されることができる。パイロットシンボルは、周波数分割多重化（ＦＤＭ）、直交周波数分割多重化（ＯＦＤＭ）、時間分割多重化（ＴＤＭ）、周波数分割多重化（ＦＤＭ）、又は符号分割多重化（ＣＤＭ）であることができる。
【００７７】
ＴＭＴＲ１４２０は、シンボルストリームを受信して１以上のアナログ信号に変換し、無線チャネル上での伝送に好適なダウンリンク信号を生成するようにアナログ信号を調整する（例えば、増幅し、フィルタをかけ、さらに周波数アップコンバートする）。ダウンリンク信号は、その後アンテナ１４２５を経由して端末に送信される。端末１４３０において、アンテナ１４３５は、ダウンリンク信号を受信し、受信した信号を受信機ユニット（ＲＣＶＲ）１４４０に提供する。受信ユニット１４４０は、受信した信号を調整し（フィルタをかけ、増幅し、さらに周波数ダウンコンバートする）、サンプルを得るために調整された信号をデジタル化する。シンボル復調器１４４５は、受信したパイロットシンボルを復調してチャンネル推定（channel estimation）のためにプロセッサ１４５０に提供する。シンボル復調器１４４５は、ダウンリンクに関する周波数応答推定（frequency response estimate）をプロセッサ１４５０からさらに受信し、データシンボル推定（data symbol estimates）（送信されたデータシンボル推定である）を得るために受信したデータシンボルに関してデータの復調を実行し、ＲＸデータプロセッサ１４５５にデータシンボル推定を提供し、ＲＸデータプロセッサ１４５５は、送信されたトラフィックデータをリカバーするためにデータシンボル推定を復調し（即ち、シンボルデマップする）、デインターリーブし、復号する。シンボル復調器１４４５及びＲＸデータプロセッサ１４５５による処理は、夫々アクセスポイント１４０５におけるシンボル復調器１４１５及びＴＸデータプロセッサ１４１０による処理に相補的である。
【００７８】
アップリンクに関して、ＴＸデータプロセッサ１４１０は、トラフィックデータを処理し、データシンボルを提供する。シンボル変調器１４６５は、パイロットシンボルとともにデータシンボルを受信して多重化し、変調を実行し、シンボルストリームを提供する。送信機ユニット１４７０は、アンテナ１４３５からアクセスポイント１４０５に送信されるアップリンク信号を生成するようにシンボルストリームを受信して処理する。特に、アップリンク信号は、ＳＣ−ＦＤＭＡ要件に従うことができ、本明細書に記述されるように周波数ホッピングメカニズムを含むことができる。
【００７９】
アクセスポイント１４０５において、端末１４３０からのアップリンク信号は、アンテナ１４２５によって受信され、サンプルを得るために受信機ユニット１４７５によって処理される。シンボル復調器１４８０は、サンプルを処理し、アップリンクに関して受信したパイロットシンボル及びデータシンボル推定を提供する。ＲＸデータプロセッサ１４８５は、端末１４３０から送信されたトラフィックデータを正常な状態に戻すためにデータシンボル推定を処理する。プロセッサ１４９０は、アップリンクで送信している各アクティブ端末に対するチャネル推定を処理する。複数の端末は、個々に割り当て割れたパイロットサブバンドのセットに関してアップリンク上で同時にパイロットを送信することができ、パイロットサブバンドのセットがインターレースされることができる。
【００８０】
プロセッサ１４９０及び１４５０は、アクセスポイント１４０５及び端末１４３０夫々において動作を命令する（例えば、制御する、調整する、管理する等）。個々のプロセッサ１４９０及び１４５０は、プログラムコード及びデータ格納するメモリユニット（図示せず）と関連することができる。プロセッサ１４９０及び１４５０は、アップリンク及びダウンリンク夫々に対する周波数及びインパルス応答推定（impulse response estimates）を導くための演算を実行することができる。
【００８１】
多元接続システム（例えば、ＳＣ−ＦＤＭＡ、ＦＤＭＡ、ＯＦＤＭＡ、ＣＤＭＡ、ＴＤＭＡ等）に関して、複数の端末は、アップリンク上で同時に送信することができる。このようなシステムでは、パイロットサブバンドは、異なる端末間で共用されることができる。チャネル推定技術は、各端末に対するパイロットサブバンドが全動作バンド（バンド端を除いて可能な限り）に及ぶ場合に使用されることができる。このようなパイロットサブバンド構造は、各端末に対して周波数ダイバーシティを得ることから好ましいだろう。本明細書に記述される技術は、種々の方法で実行されることができる。例えば、これらの技術は、ハードウェア、ソフトウェア、又はその組み合わせで実行されることができる。デジタル、アナログ、又は、デジタル及びアナログの両方とすることができるハードウェアの実行に対して、チャネル推定のために使用されるプロセッシングユニットは、１以上の特定用途向け集積回路（ＡＳＩＣ）、デジタル・シグナル・プロセッサ（ＤＳＰ）、デジタル・シグナル・プロセッシング・デバイス（ＤＳＰＤ）、プログラム可能論理回路（ＰＬＤ）、フィールド・プログラマブル・ゲート・アレイ（ＦＰＧＡ）、プロセッサ、コントローラ、マイクロコントローラ、マイクロプロセッサ、他の本明細書に記述される機能を実行するように設計された電子装置、又はその組み合わせで実行されることができる。ソフトウェアを使用して、実行は、本明細書に記述される機能を実行するモジュール（例えば、手順、機能等）を介してなされることができる。ソフトウェアコードは、メモリユニットに格納されることができ、プロセッサ１４９０及び１４５０によって実行されることができる。
【００８２】
本明細書に記述される実施形態は、ハードウェア、ソフトウェア、ファームウェア、ミドルウェア、マイクロコード、又はその好適ないかなる組み合わせで実行されることができることは、理解されるべきである。ハードウェアの実施に関して、プロセッシングユニットは、１以上の特定用途向け集積回路（ＡＳＩＣ）、デジタル・シグナル・プロセッサ（ＤＳＰ）、デジタル・シグナル・プロセッシング・デバイス（ＤＳＰＤ）、プログラム可能論理回路（ＰＬＤ）フィールド・プログラマブル・ゲート・アレイ（ＦＰＧＡ）、プロセッサ、コントローラ、マイクロコントローラ、マイクロプロセッサ、他のここに記述される機能を実行するように設計された電子装置、又はその組み合わせで実行されることができる。
【００８３】
実施形態がソフトウェア、ファームウェア、ミドルウェア、マイクロコード、又はコードセグメントで実施される場合、それらは、ストレージ部品のようなコンピュータ読み出し可能媒体に格納されることができる。コードセグメントは、手順、機能、サブプログラム、プログラム、ルーチン、サブルーチン、モジュール、ソフトウェアパッケージ、クラス、若しくは、命令、データ構造又はプログラム・ステートメントのいかなる組み合わせを示すことができる。コードセグメントは、他のコードセグメント、情報、データ、引数、パラメータ、又は記憶内容を通過する及び／又は受信することによってハードウェア回路に結合される。情報、データ、引数、パラメータ、データ等は、メモリ共有、メッセージパッシング、トークンパッシング、ネットワーク伝送等を含むいかなる好適な方法を使用して渡される、転送される、又は送信されることができる。
【００８４】
ソフトウェアの実行に関して、本明細書に記述される技術は、本明細書に記述される機能を実行するモジュール（例えば、手順、機能等）によって実行されることができる。ソフトウェアコードは、メモリユニットに格納されることができ、プロセッサによって実行されることができる。メモリユニットは、プロセッサ又はプロセッサ外部に実装されることができ、この場合、技術的に知られている種々の方法でプロセッサに通信可能に結合されることができる。
【００８５】
図１５を参照すると、この図は、シングルキャリアの制約を保持する方法でＳＣ−ＦＤＭＡ伝送に対して周波数ホッピングを提供するシステム１５００の一例である。例えば、システム１５００は、無線通信ネットワーク、及び／又はノード、基地局、アクセスポイント等の送信機に少なくとも部分的に抵抗することができる。システム１５００は、機能ブロックを含むように示され、プロセッサ、ソフトウェア、又はその組み合わせ（例えば、ファームウェア）によって実行される機能を示す機能ブロックとすることができる。
【００８６】
システム１５００は、伝送アロケーションユニットを少なくとも２つのタイムベーススロットに分割するためのモジュール１５０２含むことができ、このタイムベーススロットは、複数の周波数細分を有している。例えば、このような細分は、全体のシステム周波数スペクトル帯域幅の一部を含むことができる。さらに、細分は、相違するタイムベーススロットに対して周波数シフトされることができる。サービスに関連するデータは、本明細書に記述されるように、ＳＣ−ＦＤＭＡ環境における周波数ホッピングを容易にするように異なるタイムスロットの周波数シフトされた部分に割り当てられることができる。より具体的には、１つのタイムスロットの周波数細分は、他の１つのタイムスロットの周波数細分に対して線形に周期的なシフトに従ってシフトされることができる。例えば、全体のシステムスペクトル帯域幅の一部（例えば、略半分、３分の１、４分の１等）は、タイムスロット内で周波数細分を線形的にシフトするために利用されることができる。代わりに又はさらに、周波数細分は、スペクトル周波数帯域幅の中心線（又は、例えば、１以上の第３の線、第４の線等の非中心線）に対してきミラー転置によってシフトされることができる。上述に加えて、周波数ホップ及び非周波数ホップ細分は、本明細書に記述されるように１以上のタイムスロットに多重化されることができる。
【００８７】
システム１５００は、データを伝送アロケーションユニットに割り当てるためのモジュール１５０４をさらに含むことができる。より具体的には、モジュール１５０４は、ユーザデータの一部分を第１のタイムスロットの第１の周波数細分に割り当てることができ、ユーザデータの追加部分を第２の連続タイムスロットのシフトされた周波数細分に割り当てることができる。さらなる態様に従って、システム１５００は、その一部分のアロケーション期間の周波数をシフトするためのモジュール１５０６を含むことができる。例えば、モジュール１５０６は、上述したように第１に対して第２の周波数細分をシフトすることができる。
【００８８】
主題の開示のさらに別の一態様に従って、システム１５００は、データを端末に送信するためのモジュール１５０８を含むことができる。例えば、モジュール１５０８は、ユーザデータの第１の部分のアロケーション及びユーザデータの第２の部分のシフトされたアロケーションに関連する情報をＳＣ−ＦＤＭＡアップリンク伝送用の端末機器に送信することができる。結果として、端末機器は、ＳＣ−ＦＤＭＡ伝送の低いＰＡＰＲ特性を有する周波数ホップされた伝送の低干渉及び高ダイバーシティ特性を兼ね備えることができる。
【００８９】
さらなる態様に従って、システム１５００は、伝送アロケーションユニットにデータを多重化するためのモジュール１５１０を含むことができる。モジュール１５１０は、第１及び第２のタイムスロットと関連する実質的に等価の周波数細分に割り当てられる追加ユーザデータとともに、第１のタイムスロットの第１の周波数細分及び次の第２のタイムスロットの第２の周波数細分に割り当てられたユーザデータを送信することができる。より一般的な例として、モジュール１５１０は、ミラー転置データ及び／又は周波数選択スケジュールデータを有する周期的にシフトされたデータを多重化することができる。結果として、システム１５００は、サービス及び／又はデバイスの制約による要請で同時に周波数ホッピング或いは非周波数ホッピングを提供することができる。
【００９０】
主題の刷新の関連した態様に従って、システム１５００は、ユーザデータスケジュールを評価するためのモジュール１５１２を含むことができる。特に、モジュール１５１２は、例えば、第１の細分及びタイムスロットにスケジュールされた関連するデータユーザに関して、データの一部分に割り当てられた第２のタイムスロットの第２の周波数細分を特定するようにユーザデータのスケジュールを評価することができる。より具体的な一例として、モジュール１５１２は、ユーザデータが伝送アロケーションユニットと関連する伝送帯域幅の中心線（又は、例えば、１以上の非中心の周波数の線）を越えて割り当てられるか否かを決定するためにユーザデータのスケジュールを評価することができる。結果として、モジュール１５１２は、ＰＡＰＲ及び伝送干渉を最小化し、周波数ダイバーシティを最大化するに好適な１以上の周波数ホッピングメカニズム（例えば、周期的シフト、ミラー転置、及び／又は多重化周波数ホッピング）間から選択することを容易にすることができる。
【００９１】
図１６を参照すると、１以上の態様に従ってＳＣ−ＦＤＭＡアップリンク伝送における周波数ホッピングを使用することができるシステム１６００の一例が示されている。システム１６００は、例えば、携帯機器に少なくとも部分的に備わっていてもよい。図示されるように、システム１６００は、プロセッサ、ソフトウェア、又はその組み合わせ（例えば、ファームウェア）によって実行される機能を示すことができる機能ブロックを含む。
【００９２】
システム１６００は、周波数シフト情報を受信するためのモジュール１６０２を含むことができる。より詳細には、モジュール１６０２は、ＳＣ−ＦＤＭＡアップリンク伝送に用いる伝送アロケーションユニットの複数のタイムスロットにわたるユーザデータの周波数シフトされたアロケーションに関する情報を受信することができる。さらに、システム１６００は、アップリンクユーザデータを組織化するためのモジュール１６０４を含むことができる。例えば、モジュール１６０４は、周波数シフト情報を受信するためのモジュール１５０２によって受信された情報に従って、ユーザデータを伝送データパケットに組織化することができる。より詳細には、データは、伝送アロケーションユニットの周波数帯域幅の半分でデータパケットの第１及び第２のタイムスロットに対して周波数シフトされるように組織化されることができる。代わりに又はさらに、データは、伝送アロケーションユニットと関連する周波数帯域幅の中心線周波数を越えて転置されるアロケーションユニットの周波数シフトされた細分に割り当てられることができる。さらに他の態様に従って、データは、第１及び第２のスロットにおける同じ周波数細分に割り当てられることができる。結果として、システム１６００は、機器及び／又はサービスの制約による要請で種々の周波数ホッピングメカニズムを与える、又はなんら周波数ホッピングメカニズムを与えない。
【００９３】
上述したものは、１以上の態様の例を含む。当然ながら、前述の態様を記述するために要素、即ち、手順の考えられる全ての組み合わせを記述することは不可能であるが、通常の当業者は、種々の態様のさらに多くの組み合わせ及び置換が可能であることを認識することができる。従って、記述された態様は、添付の特許請求の範囲の適用範囲に含まれるいかなる変更、修正及び変形を包含するように意図されている。さらに、用語「含む」が詳細な説明又は特許請求の範囲のいずれか一方に使用される範囲で、この用語は、「具備する」が特許請求の範囲における暫定の単語として使用される際に解釈されるように用語「具備する」と同様な様式に含まれるように意図される。
［付記］
（１）シングルキャリアの制約を保持するシングルキャリア周波数分割多元接続（ＳＣ−ＦＤＭＡ）伝送における周波数ホッピングを提供するための方法であって、伝送アロケーションユニットを複数の周波数細分を有する少なくとも２つのタイムベーススロットに分割することと、ユーザデータの第１の部分を第１のスロットの第１の周波数細分に割り当てることと、前記ユーザデータの連続する第２の部分のアロケーションを第２の連続スロットの第２の周波数細分にシフトすることと、を具備する方法。
（２）前記ユーザデータの前記第１の部分のアロケーション、及び前記ユーザデータの前記第２部分のシフトされたアロケーションに関連する情報をＳＣ−ＦＤＭＡアップリンク伝送用の端末機器に送信することを具備する（１）の方法。
（３）前記第２の周波数細分は、前記第１の周波数細分から前記伝送アロケーションユニットと関連する伝送帯域幅の略半分だけ周波数シフトされる（１）の方法。
（４）前記第１及び第２の周波数細分は、前記伝送アロケーションユニットと関連する周波数帯域幅の中心線周波数を越えて転置され、前記第１の周波数細分が前記中心線の実質的に下方又は上方にある時、前記第２の周波数細分が前記中心線の夫々上方又は下方の略等距離にある（１）の方法。
（５）前記ユーザデータが伝送帯域幅の中心線を越えないようにスケジュールされる場合、前記第２の周波数細分は、前記第１の周波数細分から前記伝送帯域幅の略半分だけ周波数シフトされる（３）の方法。
（６）前記ユーザデータが前記中心線を越えるようにスケジュールされる場合、前記第１及び第２の周波数細分は、前記周波数帯域幅の前記中心線周波数を越えて転置される（４）の方法。
（７）前記少なくとも２つのタイムベーススロットは、前記アロケーションユニットと関連する実質的に等価な時間部分を有する（１）の方法。
（８）前記第１及び第２のスロットと関連する実質的に等価の周波数細分に割り当てられる追加ユーザデータとともに、前記第１のスロットの第１の周波数細分及び前記次の第２のスロットの第２の周波数細分に割り当てられる前記ユーザデータを多重化することを具備する（１）の方法。
（９）前記ユーザデータの前記連続部分に割り当てられる前記第２の連続スロットの前記第２の周波数細分を特定するために前記ユーザデータのスケジュールを評価することを具備する（１）の方法。
（１０）前記ユーザデータの前記スケジュールの前記評価は、前記ユーザデータが前記伝送アロケーションユニットと関連する伝送帯域幅の中心線を越えて割り当てられるか否かを判断することをさらに具備する（９）の方法。
（１１）ＳＣ−ＦＤＭＡ伝送における周波数ホッピングを提供する装置であって、伝送アロケーションユニットを複数の周波数細分を有する少なくとも２つのタイムベーススロットに分割する手段と、ユーザデータの第１の部分を第１のスロットの第１の周波数細分に割り当てる手段と、前記ユーザデータの連続する第２の部分のアロケーションを第２の連続スロットの第２の周波数細分にシフトする手段と、を具備する装置。
（１２）前記ユーザデータの前記第１の部分のアロケーション、及び前記ユーザデータの前記第２部分のシフトされたアロケーションに関連する情報をＳＣ−ＦＤＭＡアップリンク伝送用の端末機器に送信する手段を具備する（１１）の装置。
（１３）前記第２の周波数細分は、前記第１の周波数細分から前記伝送アロケーションユニットと関連する伝送帯域幅の略半分だけ周波数シフトされる（１１）の装置。
（１４）前記第１及び第２の周波数細分は、前記伝送アロケーションユニットと関連する周波数帯域幅の中心線周波数を越えて転置され、前記第１の周波数細分が前記中心線の実質的に下方又は上方にある時、前記第２の周波数細分が前記中心線の夫々上方又は下方の略等距離にある（１１）の装置。
（１５）前記ユーザデータが伝送帯域幅の中心線を越えないようにスケジュールされる場合、前記第２の周波数細分は、前記第１の周波数細分から前記伝送帯域幅の略半分だけ周波数シフトされる（１３）の装置。
（１６）前記ユーザデータが前記中心線を越えるようにスケジュールされる場合、前記第１及び第２の周波数細分は、前記周波数帯域幅の前記中心線周波数を越えて転置される（１４）の装置。
（１７）前記少なくとも２つのタイムベーススロットは、前記アロケーションユニットと関連する時間の実質的に等価の部分を有する（１１）の装置。
（１８）前記第１及び第２のスロットと関連する実質的に等価の周波数細分に割り当てられる追加ユーザデータとともに、前記第１のスロットの第１の周波数細分及び前記次の第２のスロットの第２の周波数細分に割り当てられる前記ユーザデータを多重化する手段を具備する（１１）の装置。
（１９）前記ユーザデータの前記連続部分に割り当てられる前記第２の連続スロットの前記第２の周波数細分を特定するために前記ユーザデータのスケジュールを評価する手段を具備する（１１）の装置。
（２０）前記ユーザデータの前記スケジュールを評価する前記手段は、前記ユーザデータが前記伝送アロケーションユニットと関連する伝送帯域幅の中心線を越えて割り当てられるか否かを判断することをさらに具備する（１９）の装置。
（２１）ＳＣ−ＦＤＭＡ伝送における周波数ホッピングを提供するシステムであって、伝送アロケーションユニットを複数の周波数細分を有する少なくとも２つのタイムベーススロットに分割する多重化プロセッサと、ユーザデータの第１の部分を第１のスロットの第１の周波数細分に割り当て、前記ユーザデータの連続する第２の部分を周波数シフトされた第２の連続スロットの第２の周波数細分に割り当てるスケジューラと、を具備するシステム。
（２２）前記ユーザデータの前記第１の部分のアロケーション、及び前記ユーザデータの前記第２部分のシフトされたアロケーションに関連する情報をＳＣ−ＦＤＭＡアップリンク伝送用の端末機器に送信する送信機を具備する（２１）のシステム。
（２３）前記第２の周波数細分は、前記伝送アロケーションユニットと関連する伝送帯域幅の略半分だけ前記第１の周波数細分に対して周波数シフトされる（２１）の方法。
（２４）前記第１及び第２の周波数細分は、前記伝送アロケーションユニットと関連する周波数帯域幅の中心線周波数を越えて転置され、前記第１の周波数細分が前記中心線の実質的に下方又は上方にある時、前記第２の周波数細分が前記中心線の実質的に夫々上方又は下方にある（２１）のシステム。
（２５）前記ユーザデータが伝送帯域幅の中心線を越えないようにスケジュールされる場合、前記第２の周波数細分は、前記第１の周波数細分から前記伝送帯域幅の略半分だけ周波数シフトされる（２３）のシステム。
（２６）前記ユーザデータが前記中心線を越えるようにスケジュールされる場合、前記第１及び第２の周波数細分は、前記周波数帯域幅の前記中心線周波数を越えて転置される（２４）のシステム。
（２７）前記少なくとも２つのタイムベーススロットは、前記アロケーションユニットと関連する時間の実質的に等価の部分を有する（２１）のシステム。
（２８）前記多重化プロセッサは、前記第１及び第２のスロットと関連する実質的に等価の周波数細分に割り当てられる追加ユーザデータとともに、前記第１のスロットの第１の周波数細分及び前記第２の連続スロットの第２の周波数細分に割り当てられる前記ユーザデータを統合する（２１）のシステム。
（２９）前記ユーザデータの前記連続部分に割り当てられる前記第２の連続スロットの前記第２の周波数細分を特定するために前記ユーザデータのスケジュールを評価するプロセッサを具備する（２１）のシステム。
（３０）前記プロセッサは、前記ユーザデータが前記伝送アロケーションユニットと関連する伝送帯域幅の中心線を越えて割り当てられるか否かをさらに評価する（２９）の方法。
（３１）シングルキャリアの制約を保持するためにシングルキャリア周波数分割多元接続（ＳＣ−ＦＤＭＡ）伝送における周波数ホッピングを容易するプロセッサであって、伝送アロケーションユニットを複数の周波数細分を有する少なくとも２つのタイムベーススロットに分割する手段と、ユーザデータの一部分を第１のスロットの第１の周波数細分に割り当てる手段と、前記ユーザデータの連続部分のアロケーションを第２の連続スロットの第２の周波数細分にシフトする手段と、を具備するプロセッサ。
（３２）シングルキャリアの制約を保持するためにシングルキャリア周波数分割多元接続（ＳＣ−ＦＤＭＡ）伝送における周波数ホッピングを容易にするコンピュータプログラム製品であって、伝送アロケーションユニットを複数の周波数細分を有する少なくとも２つのタイムベーススロットに分割し、ユーザデータの一部分を第１のスロットの第１の周波数細分に割り当て、前記ユーザデータの連続部分のアロケーションを第２の連続スロットの第２の周波数細分にシフトする少なくとも１つのコンピュータで実行可能なコードを有するコンピュータ読み出し可能媒体と、を具備するコンピュータプログラム製品。
（３３）周波数ホッピングを利用するＳＣ−ＦＤＭＡアップリンクチャネル上でデータを伝送するための方法であって、ＳＣ−ＦＤＭＡアップリンク伝送に用いる伝送アロケーションユニットの複数のタイムスロットわたるユーザデータの周波数シフトされたアロケーションに関連する情報を受信することと、前記受信した情報に従って前記ユーザデータを伝送データパケットに組織化することと、を具備する方法。
（３４）前記受信した情報に定められているアップリンクリソース上で前記データを伝送することを具備する（３３）の方法。
（３５）前記ユーザデータは、前記伝送アロケーションユニットの周波数帯域幅の略半分だけ周波数シフトされる（３３）の方法。
（３６）前記ユーザデータは、前記伝送アロケーションユニットと関連する周波数帯域幅の中心線周波数を越えて転置される前記アロケーションユニットの周波数シフトされた細分に割り当てられる（３３）の方法。
（３７）前記ユーザデータの周波数シフトされた前記アロケーションに関連する前記情報は、端末装置が伝送アロケーションユニット内のアップリンク伝送のための周波数シフトされてない又は周波数シフトされたユーザデータを選択するかどうかをさらに示す（３３）の方法。
（３８）周波数ホッピングを利用するＳＣ−ＦＤＭＡアップリンクチャネル上でデータを伝送する装置であって、ＳＣ−ＦＤＭＡアップリンク伝送に用いる伝送アロケーションユニットの複数のタイムスロットにわたるユーザデータの周波数シフトされたアロケーションに関連する情報を受信する手段と、前記受信した情報に従って前記ユーザデータを伝送データパケットに組織化する手段と、を具備する装置。
（３９）前記受信した情報に定められているアップリンクリソース上で前記データを伝送する手段を具備する（３８）の方法。
（４０）前記ユーザデータは、前記伝送アロケーションユニットの周波数帯域幅の略半分だけ周波数シフトされる（３８）の装置。
（４１）前記ユーザデータは、前記伝送アロケーションユニットと関連する周波数帯域幅の中心線周波数を越えて転置される前記アロケーションユニットの周波数シフトされた細分に割り当てられる（３８）の装置。
（４２）ユーザデータの周波数シフトされたアロケーションに関連する前記情報は、端末装置が伝送アロケーションユニット内のアップリンク伝送に対して周波数シフトされてない又は周波数シフトされたユーザデータを選択するかどうかをさらに示す（３８）の装置。
（４３）周波数ホッピングを利用するＳＣ−ＦＤＭＡアップリンクチャネル上でデータを伝送するためのシステムであって、ＳＣ−ＦＤＭＡアップリンク伝送に用いる伝送アロケーションユニットの複数のタイムスロットに亘って周波数シフトされたユーザデータのアロケーションに関連する情報を受信するアンテナと、前記受信した情報に従って前記ユーザデータを伝送データパケットに組織化するスケジューラと、を具備するシステム。
（４４）前記受信した情報に定められているアップリンクリソース上で前記データを伝送する手段を具備する（４３）のシステム。
（４５）前記ユーザデータは、前記伝送アロケーションユニットの周波数帯域幅の略半分だけ周波数シフトされる（４３）のシステム。
（４６）前記ユーザデータは、前記伝送アロケーションユニットと関連する周波数帯域幅の中心線周波数を越えて転置される前記アロケーションユニットの周波数シフトされた細分に割り当てられる（４３）のシステム。
（４７）前記アンテナで受信される前記情報に従って周波数シフトされてない及び周波数シフトされたユーザデータから選択する多重化プロセッサを具備する（４３）の方法。
（４８）周波数ホッピングを利用するＳＣ−ＦＤＭＡアップリンクチャネル上でデータの伝送を提供するプロセッサであって、ＳＣ−ＦＤＭＡアップリンク伝送に用いる伝送アロケーションユニットの複数のタイムスロットにわたるユーザデータの周波数シフトされたアロケーションに関連する情報を受信する手段と、前記受信した情報に従って前記ユーザデータを伝送データパケットに組織化する手段と、を具備するプロセッサ。
（４９）周波数ホッピングを利用するＳＣ−ＦＤＭＡアップリンクチャネル上でデータの伝送を提供することを用意にするコンピュータプログラム製品であって、ＳＣ−ＦＤＭＡアップリンク伝送で用いる伝送アロケーションユニットの複数のタイムスロットにわたるユーザデータの周波数シフトされたアロケーションに関連する情報を受信し、前記受信した情報に従って前記ユーザデータを伝送データパケットに組織化する、少なくとも１つのコンピュータで実行可能なコードを有するコンピュータ読み出し可能媒体と、を具備するコンピュータプログラム製品。
【図１】
0005628240.tif 000002
【図２】
0005628240.tif 000003
【図３】
0005628240.tif 000004
【図４】
0005628240.tif 000005
【図５】
0005628240.tif 000006
【図６】
0005628240.tif 000007
【図７】
0005628240.tif 000008
【図８】
0005628240.tif 000009
【図９】
0005628240.tif 000010
【図１０】
0005628240.tif 000011
【図１１】
0005628240.tif 000012
【図１２】
0005628240.tif 000013
【図１３】
0005628240.tif 000014
【図１４】
0005628240.tif 000015
【図１５】
0005628240.tif 000016
【図１６】
0005628240.tif 000017